(57)【特許請求の範囲】
【請求項１】
電子情報に対応付けられるタグと、ユーザから操作を受け付ける操作端末装置と、電子情報の対応付け権限を有する権限ユーザを管理するサーバ装置と、を備え、
前記操作端末装置は、タグに対する電子情報の対応付け権限の付与要求をユーザから受け付ける際に、当該タグの認証情報を取得して前記付与要求と共に前記サーバ装置へ送信する権限付与要求部を有し、
前記サーバ装置は、各タグの認証情報を記憶する認証情報記憶部と、各タグの権限ユーザを管理する権限ユーザ管理部と、前記操作端末装置から前記付与要求及び認証情報を受信した場合に、前記付与要求に係るタグについて前記権限ユーザ管理部に権限ユーザが登録されておらず、且つ、受信した当該タグの認証情報が前記認証情報記憶部の内容と適合することを条件に、当該操作端末装置のユーザを当該タグの権限ユーザとして前記権限ユーザ管理部に登録する権限付与部と、を有する、
ことを特徴とするタグ管理システム。
【請求項２】
前記タグの認証情報は、当該タグの動作を制御するチップに固有のチップＩＤであり、
前記操作端末装置は、タグに対する電子情報の対応付け権限の付与要求をユーザから受け付ける際に、当該タグからチップＩＤを読み取って前記付与要求と共に前記サーバ装置へ送信する、
ことを特徴とする請求項１に記載のタグ管理システム。
【請求項３】
前記タグの認証情報は、当該タグに対してユーザにより認識可能な態様で予め対応付けられた認証コードであり、
前記操作端末装置は、タグに対する電子情報の対応付け権限の付与要求をユーザから受け付ける際に、ユーザから当該タグの認証コードの入力を受けて前記付与要求と共に前記サーバ装置へ送信する、
ことを特徴とする請求項１又は請求項２に記載のタグ管理システム。
【請求項４】
前記操作端末装置は、タグに対する電子情報の対応付け権限の削除要求をユーザから受け付けて前記サーバ装置へ送信する権限削除要求部を有し、
前記サーバ装置は、前記操作端末装置から前記削除要求を受信した場合に、前記削除要求に係るタグの権限ユーザとして当該操作端末装置のユーザが登録されていることを条件に、当該タグの権限ユーザを前記権限ユーザ管理部から削除する権限削除部を有する、
ことを特徴とする請求項１に記載のタグ管理システム。
【請求項５】
電子情報に対応付けられるタグと、ユーザから操作を受け付ける操作端末装置と、を備えたタグ管理システムに用いられるサーバ装置であって、
前記操作端末装置は、タグに対する電子情報の対応付け権限の付与要求をユーザから受け付ける際に、当該タグの認証情報を取得して前記付与要求と共に前記サーバ装置へ送信する権限付与要求部を有し、
前記サーバ装置は、各タグの認証情報を記憶する認証情報記憶部と、電子情報の対応付け権限を有する権限ユーザを各タグについて管理する権限ユーザ管理部と、前記操作端末装置から前記付与要求及び認証情報を受信した場合に、前記付与要求に係るタグについて前記権限ユーザ管理部に権限ユーザが登録されておらず、且つ、受信した当該タグの認証情報が前記認証情報記憶部の内容と適合することを条件に、当該操作端末装置のユーザを当該タグの権限ユーザとして前記権限ユーザ管理部に登録する権限付与部と、を有する、
ことを特徴とするサーバ装置。
【請求項６】
電子情報に対応付けられるタグと、電子情報の対応付け権限を有する権限ユーザを管理するサーバ装置と、を備えたタグ管理システムに用いられる操作端末装置であって、
前記サーバ装置は、各タグの認証情報を記憶する認証情報記憶部と、各タグの権限ユーザを管理する権限ユーザ管理部と、タグに対する電子情報の対応付け権限の付与要求及び認証情報を前記操作端末装置から受信した場合に、前記付与要求に係るタグについて前記権限ユーザ管理部に権限ユーザが登録されておらず、且つ、受信した当該タグの認証情報が前記認証情報記憶部の内容と適合することを条件に、当該操作端末装置のユーザを当該タグの権限ユーザとして前記権限ユーザ管理部に登録する権限付与部と、を有し、
前記操作端末装置は、タグに対する電子情報の対応付け権限の付与要求をユーザから受け付ける際に、当該タグの認証情報を取得して前記付与要求と共に前記サーバ装置へ送信する権限付与要求部を有する、
ことを特徴とする操作端末装置。
【請求項７】
電子情報に対応付けられるタグと、ユーザから操作を受け付ける操作端末装置と、電子情報の対応付け権限を有する権限ユーザを管理するサーバ装置と、を用いて行うタグ管理方法であって、
前記サーバ装置は、各タグの認証情報を記憶する認証情報記憶部と、各タグの権限ユーザを管理する権限ユーザ管理部と、を有しており、
前記操作端末装置が、タグに対する電子情報の対応付け権限の付与要求をユーザから受け付ける際に、当該タグの認証情報を取得して前前記付与要求と共に前記サーバ装置へ送信し、
前記サーバ装置が、前記操作端末装置から前記付与要求及び認証情報を受信した場合に、前記付与要求に係るタグについて前記権限ユーザ管理部に権限ユーザが登録されておらず、且つ、受信した当該タグの認証情報が前記認証情報記憶部の内容と適合することを条件に、当該操作端末装置のユーザを当該タグの権限ユーザとして前記権限ユーザ管理部に登録する、
ことを特徴とするタグ管理方法。
【請求項８】
提供対象の情報を表す表示情報を表示するディスプレイ装置と、単一のディスプレイ装置に対応付けて設置されるタグと、提供対象の情報のＵＲＬを管理するサーバ装置と、ＵＲＬに基づく提供対象の情報を表示するユーザ端末装置と、を備え、
前記タグは、タグＩＤを前記ユーザ端末装置により読み取り可能に記憶する記憶部を有し、
前記ディスプレイ装置は、前記タグが記憶するタグＩＤに一意に対応付けられたディスプレイＩＤを記憶する記憶部と、提供対象の情報に係る表示情報を表示する表示部と、当該表示した表示情報に対するユーザによる選択を認識する選択認識部と、当該選択の認識に応じてディスプレイＩＤを前記サーバ装置へ送信する送信部と、を有し、
前記ユーザ端末装置は、前記サーバ装置からＵＲＬを受信する受信部と、当該受信したＵＲＬに基づいて提供対象の情報を取得する取得部と、当該取得した提供対象の情報を表示する表示部と、前記タグからタグＩＤを読み取る読取部と、当該読み取ったタグＩＤを前記サーバ装置へ送信する送信部と、を有し、
前記サーバ装置は、ディスプレイＩＤとＵＲＬとを対応付けて記憶する記憶部と、前記ディスプレイ装置からディスプレイＩＤを受信する受信部と、前記ユーザ端末装置からタグＩＤを受信する受信部と、前記ディスプレイ装置からディスプレイＩＤを受信し且つ前記ユーザ端末装置から当該ディスプレイＩＤに一意に対応付けられたタグＩＤを受信したことに応じて、当該ディスプレイＩＤに対応付けられたＵＲＬを前記ユーザ端末装置へ送信する送信部と、を有する、
ことを特徴とする情報提供システム。
【請求項９】
前記ディスプレイ装置には、ディスプレイＩＤとして前記タグの記憶部が記憶するタグＩＤが記憶されており、これによってディスプレイＩＤとタグＩＤは一意に対応付けられている、
ことを特徴とする請求項８に記載の情報提供システム。
【請求項１０】
前記サーバ装置は、ディスプレイＩＤとタグＩＤとを一意に対応付ける情報を記憶しており、当該情報に基づいてディスプレイＩＤとタグＩＤは一意に対応付けられている、
ことを特徴とする請求項８に記載の情報提供システム。
【請求項１１】
前記ディスプレイ装置において、前記表示部は、複数の表示情報を表示し、前記選択認識部は、いずれかの表示情報に対するユーザによる選択を認識し、前記送信部は、当該選択された表示情報のＩＤをディスプレイＩＤに関連付けて前記サーバ装置へ送信し、
前記サーバ装置において、前記記憶部は、ディスプレイＩＤに対し、当該ディスプレイＩＤに該当する前記ディスプレイ装置に表示される各表示情報のＩＤと該表示情報に係る提供対象の情報のＵＲＬとを対応付けて記憶し、前記受信部は、前記ディスプレイ装置からディスプレイＩＤに加えて表示情報のＩＤを受信し、前記送信部は、当該受信した表示情報のＩＤに対応するＵＲＬを前記ユーザ端末装置へ送信する、
ことを特徴とする請求項８乃至請求項１０のいずれか１項に記載の情報提供システム。
【請求項１２】
場所を違えた複数の場所にそれぞれ前記ディスプレイ装置及び前記タグを設置し、前記ディスプレイ装置の各々を回線を介して前記サーバ装置に接続した、
ことを特徴とする請求項８乃至請求項１１のいずれか１項に記載の情報提供システム。
【請求項１３】
前記サーバ装置が、提供対象の情報に係る表示情報を記憶しており、
前記ディスプレイ装置が、提供対象の情報に係る表示情報を前記サーバ装置から取得して表示する、
ことを特徴とする請求項８乃至請求項１２のいずれか１項に記載の情報提供システム。
【請求項１４】
提供対象の情報を表す表示情報を表示するディスプレイ装置と、単一のディスプレイ装置に対応付けて設置されるタグと、ＵＲＬに基づく提供対象の情報を表示するユーザ端末装置と、を備えた情報提供システムに用いるサーバ装置であって、
前記タグは、タグＩＤを前記ユーザ端末装置により読み取り可能に記憶する記憶部を有し、
前記ディスプレイ装置は、前記タグが記憶するタグＩＤに一意に対応付けられたディスプレイＩＤを記憶する記憶部と、提供対象の情報に係る表示情報を表示する表示部と、当該表示した表示情報に対するユーザによる選択を認識する選択認識部と、当該選択の認識に応じてディスプレイＩＤを前記サーバ装置へ送信する送信部と、を有し、
前記ユーザ端末装置は、前記サーバ装置からＵＲＬを受信する受信部と、当該受信したＵＲＬに基づいて提供対象の情報を取得する取得部と、当該取得した提供対象の情報を表示する表示部と、前記タグからタグＩＤを読み取る読取部と、当該読み取ったタグＩＤを前記サーバ装置へ送信する送信部と、を有しており、
前記サーバ装置は、ディスプレイＩＤとＵＲＬとを対応付けて記憶する記憶部と、前記ディスプレイ装置からディスプレイＩＤを受信する受信部と、前記ユーザ端末装置からタグＩＤを受信する受信部と、前記ディスプレイ装置からディスプレイＩＤを受信し且つ前記ユーザ端末装置から当該ディスプレイＩＤに一意に対応付けられたタグＩＤを受信したことに応じて、当該ディスプレイＩＤに対応付けられたＵＲＬを前記ユーザ端末装置へ送信する送信部と、を有する、
ことを特徴とするサーバ装置。
【請求項１５】
提供対象の情報を表す表示情報を表示するディスプレイ装置と、単一のディスプレイ装置に対応付けて設置されるタグと、提供対象の情報のＵＲＬを管理するサーバ装置と、を備えた情報提供システムに用いるユーザ端末装置であって、
前記タグは、タグＩＤを前記ユーザ端末装置により読み取り可能に記憶する記憶部を有し、
前記ディスプレイ装置は、前記タグが記憶するタグＩＤに一意に対応付けられたディスプレイＩＤを記憶する記憶部と、提供対象の情報に係る表示情報を表示する表示部と、当該表示した表示情報に対するユーザによる選択を認識する選択認識部と、当該選択の認識に応じてディスプレイＩＤを前記サーバ装置へ送信する送信部と、を有し、
前記サーバ装置は、ディスプレイＩＤとＵＲＬとを対応付けて記憶する記憶部と、前記ディスプレイ装置からディスプレイＩＤを受信する受信部と、前記ユーザ端末装置からタグＩＤを受信する受信部と、前記ディスプレイ装置からディスプレイＩＤを受信し且つ前記ユーザ端末装置から当該ディスプレイＩＤに一意に対応付けられたタグＩＤを受信したことに応じて、当該ディスプレイＩＤに対応付けられたＵＲＬを前記ユーザ端末装置へ送信する送信部と、を有しており、
前記ユーザ端末装置は、前記サーバ装置からＵＲＬを受信する受信部と、当該受信したＵＲＬに基づいて提供対象の情報を取得する取得部と、当該取得した提供対象の情報を表示する表示部と、前記タグからタグＩＤを読み取る読取部と、当該読み取ったタグＩＤを前記サーバ装置へ送信する送信部と、を有する、
ことを特徴とするユーザ端末装置。
【請求項１６】
提供対象の情報を表す表示情報を表示するディスプレイ装置と、単一のディスプレイ装置に対応付けて設置されるタグと、提供対象の情報のＵＲＬを管理するサーバ装置と、ＵＲＬに基づく提供対象の情報を表示するユーザ端末装置と、を用いて行う情報提供方法であって、
前記タグは、タグＩＤを前記ユーザ端末装置により読み取り可能に記憶しており、
前記ディスプレイ装置は、前記タグが記憶するタグＩＤに一意に対応付けられたディスプレイＩＤを記憶しており、
前記サーバ装置は、ディスプレイＩＤとＵＲＬとを対応付けて記憶しており、
前記ディスプレイ装置が、表示した提供対象の情報に係る表示情報をユーザにより選択されたことに応じて、ディスプレイＩＤを前記サーバ装置へ送信し、
前記ユーザ端末装置が、前記タグから読み取ったタグＩＤを前記サーバ装置へ送信し、
前記サーバ装置が、前記ディスプレイ装置からディスプレイＩＤを受信し且つ前記ユーザ端末装置から当該ディスプレイＩＤに一意に対応付けられたタグＩＤを受信したことに応じて、当該ディスプレイＩＤに対応付けられたＵＲＬを前記ユーザ端末装置へ送信し、
前記ユーザ端末装置が、前記サーバ装置から受信したＵＲＬに基づいて提供対象の情報を取得して表示する、
ことを特徴とする情報提供方法。
【発明の詳細な説明】
【技術分野】
【０００１】
本発明は、ディスプレイ装置上の表示に関連する情報をユーザ端末装置によりユーザに提供する技術に関する。
また、本発明は、タグに対する電子情報の対応付けを管理する技術に関する。
【背景技術】
【０００２】
近年、商品の広告や見本などに対応付けて、当該商品に関する情報の取得に用いる情報を読み取り可能に記憶したタグを配置しておき、当該商品に興味を持ったユーザに対して、タグに記憶された情報の読み取り機能を備えたユーザ端末装置により、当該商品に関する情報を提供する商品情報提供システムが検討されている。
このような商品情報提供システムでは、ユーザ端末装置が、タグに記憶された情報を読み取り、当該読み取り情報に基づいて商品に関する情報を取得して表示出力することで、ユーザは所望の商品に関する情報の提供を受けることができる。
【０００３】
また、例えば特許文献１には、複数の商品ポスターが貼付（または商品ポスターの画像が表示）されるパネルに対して、パネル内の商品ポスターの位置毎にその位置ＩＤと情報管理サーバにアクセスするためのアドレス情報とを記憶したタグを設置する構成が開示されている。
【０００４】
また、例えば特許文献２には、タグ（ＲＦＩＤ）のタグＩＤ（個体識別番号）とアクションとの対応を記憶するサーバと、タグとアクションとの対応付けをサーバに指示するパーソナルコンピュータと、を備え、サーバは、タグとアクションとの対応付けに先立って、パーソナルコンピュータからの指示によりタグを登録しておく構成が開示されている。
【先行技術文献】
【特許文献】
【０００５】
【特許文献１】特開２０１３−１６１０９７号公報
【特許文献２】特開２０１０−１７０５２０号公報
【発明の概要】
【発明が解決しようとする課題】
【０００６】
上記で挙げた特許文献１では、パネル内の商品ポスターの個数分のタグが必要となる。
また、予め想定された商品ポスターの個数分のタグをパネルに対して事前に設置することとなるため、商品ポスターの数を更に増やしたい等の要望があった場合には、パネル自体を増やして対応せざるを得ない。
【０００７】
次に、商品画像を表示するディスプレイ装置に対応付けてタグを設置する構成について検討する。このような構成によれば、ユーザは、ディスプレイ装置に表示された商品画像を確認した上で、ユーザ端末装置により当該商品に関する情報の提供を受けることができる。ディスプレイ装置は、表示内容を任意に変更することが可能な装置であるため、表示する商品画像の変更や、商品画像以外の情報の表示などを行うことができる。これに対し、ディスプレイ装置に対応付けて設置されるタグに記憶される情報は、ディスプレイ装置がタグの書き換え機能を有する等の特別な事情が無い限り、固定である。
このため、ディスプレイ装置の表示内容とタグに記憶された情報との対応関係が不適切なものとなる懸念があり、この場合には、ディスプレイ装置の表示を見たユーザに対して、該ユーザの希望とは異なる情報が提供されてしまう可能性がある。
【０００８】
本発明は、上記のような事情に鑑みて為されたものであり、ディスプレイ装置上の表示に関連する情報のユーザ端末装置による提供を、１つのタグにより効果的に実現することが可能な技術を提案することを目的（１）とする。
【０００９】
また、特許文献２では、タグをアクションと対応付ける処理を行うには、タグをサーバに登録しておく必要があるが、その処理のユーザ制限について開示していない。
タグに対する対応付け処理は正当な権限を持つユーザによって行われるべき事項であり、正当な権限を持たないユーザによって不正に対応付け処理が行われことを防止する必要がある。
【００１０】
そこで、本発明は、タグに対する対応付け処理が不正に行われることを防止することが可能な技術を提案することを目的（２）とする。
【課題を解決するための手段】
【００１１】
上述した目的（１）を達成するために、本発明に係る情報提供システムを以下のように構成した。
すなわち、本発明に係る情報提供システムは、提供対象の情報を表す表示情報を表示するディスプレイ装置と、単一のディスプレイ装置に対応付けて設置されるタグと、提供対象の情報のＵＲＬを管理するサーバ装置と、ＵＲＬに基づく提供対象の情報を表示するユーザ端末装置と、を備える。
【００１２】
ここで、前記タグは、タグＩＤを前記ユーザ端末装置により読み取り可能に記憶する記憶部を有する。
また、前記ディスプレイ装置は、前記タグが記憶するタグＩＤに一意に対応付けられたディスプレイＩＤを記憶する記憶部と、提供対象の情報に係る表示情報を表示する表示部と、当該表示した表示情報に対するユーザによる選択を認識する選択認識部と、当該選択の認識に応じてディスプレイＩＤを前記サーバ装置に送信する送信部と、を有する。
また、前記ユーザ端末装置は、前記サーバ装置からＵＲＬを受信する受信部と、当該受信したＵＲＬに基づいて提供対象の情報を取得する取得部と、当該取得した提供対象の情報を表示する表示部と、前記タグからタグＩＤを読み取る読取部と、当該読み取ったタグＩＤを前記サーバ装置に送信する送信部と、を有する。
また、前記サーバ装置は、ディスプレイＩＤとＵＲＬとを対応付けて記憶する記憶部と、前記ディスプレイ装置からディスプレイＩＤを受信する受信部と、前記ユーザ端末装置からタグＩＤを受信する受信部と、前記ディスプレイ装置からディスプレイＩＤを受信し且つ前記ユーザ端末装置から当該ディスプレイＩＤに一意に対応付けられたタグＩＤを受信したことに応じて、当該ディスプレイＩＤに対応付けられたＵＲＬを前記ユーザ端末装置に送信する送信部と、を有する。
【００１３】
このような構成によれば、ディスプレイ装置上の表示に関連する情報のユーザ端末装置による提供を、１つのタグにより効果的に実現することができる。
【００１４】
本発明に係る情報提供システムでは、以下のような手順で、提供対象の情報がユーザに提供される。
ユーザがディスプレイ装置に表示された表示情報を選択したことに応じて、ディスプレイ装置からサーバ装置に対してディスプレイＩＤが送信される。また、ユーザがディスプレイ装置に対応付けて設置されたタグに記憶されたタグＩＤをユーザ端末装置により読み取らせたことに応じて、ユーザ端末装置からサーバ装置に対してタグＩＤが送信される。サーバ装置は、これらのＩＤ（互いに一意に対応するディスプレイＩＤおよびタグＩＤ）を受信したことに応じて、ユーザ端末装置に対してディスプレイＩＤに対応するＵＲＬ（ユーザ選択された表示情報に係る提供対象の情報のＵＲＬ）を送信する。ユーザ端末装置は、タグＩＤの送信に応答してサーバ装置から受信したＵＲＬに基づいて、提供対象の情報を取得して表示する。
【００１５】
このように、本発明に係る情報提供システムでは、ディスプレイ装置に表示された表示情報がユーザに選択されることと、ディスプレイ装置に対応付けて設置されたタグに記憶されたタグＩＤがユーザ端末装置に読み取られることが、サーバ装置からユーザ端末装置に対して提供対象の情報のＵＲＬを送信するために必要となる。
このため、本発明に係る情報提供システムによれば、ディスプレイ装置の表示を見たユーザに対して該ユーザの希望とは異なる情報が提供されてしまう事態が発生することを抑制することができる。
【００１６】
ここで、ＩＤとは、これを付された対象物（ディスプレイ装置やタグ）を一意に識別する識別情報である。
また、ディスプレイＩＤとタグＩＤを一意に対応付けるには、種々の手法を用いることができる。
一例として、前記ディスプレイ装置には、ディスプレイＩＤとして前記タグの記憶部が記憶するタグＩＤが記憶されており、これによってディスプレイＩＤとタグＩＤは一意に対応付けられる。
他の例として、前記サーバ装置は、ディスプレイＩＤとタグＩＤとを一意に対応付ける情報を記憶しており、当該情報に基づいてディスプレイＩＤとタグＩＤは一意に対応付けられる。
【００１７】
また、本発明に係る情報提供システムでは、前記ディスプレイ装置において、前記表示部は、複数の表示情報を表示し、前記選択認識部は、いずれかの表示情報に対するユーザによる選択を認識し、前記送信部は、当該選択された表示情報のＩＤをディスプレイＩＤに関連付けて前記サーバ装置に送信し、前記サーバ装置において、前記記憶部は、ディスプレイＩＤに対し、当該ディスプレイＩＤに該当する前記ディスプレイ装置に表示される各表示情報のＩＤと該表示情報に係る提供対象の情報のＵＲＬとを対応付けて記憶し、前記受信部は、前記ディスプレイ装置からディスプレイＩＤに加えて表示情報のＩＤを受信し、前記送信部は、当該受信した表示情報のＩＤに対応するＵＲＬを前記ユーザ端末装置に送信する構成としてもよい。
【００１８】
このような構成によれば、ディスプレイ装置に表示された複数の表示情報の中からユーザにより選択された表示情報についてのＵＲＬが、ディスプレイ装置に対応付けて設置されたタグに記憶されたタグＩＤを読み取ったユーザ端末装置に対して送信される。
このため、ユーザは、ディスプレイ装置の表示からいずれかの表示情報を選択し、当該ディスプレイ装置に対応付けて設置されたタグからユーザ端末装置によりタグＩＤを読み取らせるだけで、所望の表示情報に関する情報の提供を受けることができる。また、ディスプレイ装置に複数の表示情報を表示する構成でありながら、当該ディスプレイ装置に対応付けて設置するタグは１つで足りる。また、ディスプレイ装置において選択された表示情報に応じてサーバ装置から送信されるＵＲＬが変動する構成でありながら、タグに記憶させるタグＩＤは固定で済むので、表示情報の選択に応じてタグＩＤを動的に書き換えるための機構（ハードウェア）をディスプレイ装置に設ける必要がなく、簡易なシステム構成とすることができる。
【００１９】
また、本発明に係る情報提供システムは、場所を違えた複数の場所にそれぞれ前記ディスプレイ装置及び前記タグを設置し、前記ディスプレイ装置の各々を回線を介して前記サーバ装置に接続した構成としてもよい。
このような構成によれば、複数の拠点に跨る情報提供システムを、サーバ装置側で集中管理することができる。
また、本発明に係る情報提供システムは、前記サーバ装置が、提供対象の情報に係る表示情報を記憶しており、前記ディスプレイ装置が、提供対象の情報に係る表示情報を前記サーバ装置から取得して表示する構成としてもよい。
このような構成によれば、ディスプレイ装置に表示させる表示情報を、サーバ側で集中管理することができる。
【００２０】
ここで、本発明は、上記の情報提供システムに用いられるサーバ装置、タグ、ユーザ端末装置、ディスプレイ装置として把握することもできる。
また、本発明は、上記の情報提供システムにより実施される情報提供方法として把握することもできる。
また、本発明は、上記の情報提供システムに用いられるサーバ装置、ユーザ端末装置、ディスプレイ装置をコンピュータにより実現させるためのプログラムや、当該プログラムを読み取り可能に記憶した記憶媒体として把握することもできる。
【００２１】
上述した目的（２）を達成するために、本発明に係るタグ管理システムを以下のように構成した。
すなわち、本発明に係るタグ管理システムは、電子情報に対応付けられるタグと、ユーザから操作を受け付ける操作端末装置と、電子情報の対応付け権限を有する権限ユーザを管理するサーバ装置と、を備える。
【００２２】
ここで、前記操作端末装置は、タグに対する電子情報の対応付け権限の付与要求をユーザから受け付ける際に、当該タグの認証情報を取得して前記付与要求と共に前記サーバ装置へ送信する権限付与要求部を有する。
また、前記サーバ装置は、各タグの認証情報を記憶する認証情報記憶部と、各タグの権限ユーザを管理する権限ユーザ管理部と、前記操作端末装置から前記付与要求及び認証情報を受信した場合に、前記付与要求に係るタグについて前記権限ユーザ管理部に権限ユーザが登録されておらず、且つ、受信した当該タグの認証情報が前記認証情報記憶部の内容と適合することを条件に、当該操作端末装置のユーザを当該タグの権限ユーザとして前記権限ユーザ管理部に登録する権限付与部と、を有する。
ここで、認証情報は、タグに対する電子情報の対応付け権限の付与をユーザが求める場合に必要となる情報である。
【００２３】
このような構成によれば、タグに対する電子情報の対応付けをその権限がある権限ユーザしか行えず、更に、既に権限ユーザが存在する場合には他のユーザが権限ユーザとなることはできない。このように、タグに対する権限ユーザの複数登録を排除することで、既に権限ユーザが存在するタグの認証情報を他のユーザが得ることができたとしても、当該他のユーザは電子情報の対応付け権限を得ることはできず、タグに対する対応付け処理が不正に行われることを防止できる。
【００２４】
ここで、タグの認証情報としては、当該タグの動作を制御するチップに固有のチップＩＤを用いることができる。この場合には、或るタグから読み出したタグＩＤを他のタグに書き込んでコピー品を作成したとしても、チップＩＤはチップ固有なので書き換えはできず、サーバ装置による記憶内容と整合しない不完全コピーとなるため、タグのコピー品について権限ユーザとなることはできない。したがって、タグのコピー品では対応付けの変更を行うことはできず、タグのコピー品に対応付けられる電子情報は、コピー元のタグに対する対応付けの変更に連動して変化することになる。このため、複数のタグに同一の電子情報を対応付けて使用する場面などで、或るタグに対する対応付けが勝手に変更されることを防止しつつ、複数のタグに対する対応付けを一括して変更できる等の効果が得られる。
【００２５】
また、タグの認証情報として、当該タグに対してユーザにより認識可能な態様で予め対応付けられた認証コードを用いることもできる。この場合には、認証コードがすぐに分かるような態様で付されたタグであっても、店舗や公共の場などの不特定の人が訪れる場所に設置することに支障が無い。なお、認証コードは、タグに電子情報を対応付けた状態、すなわち、電子情報へのアクセスに使用可能な状態にタグをアクティベートするために必要なコードでもあるため、アクティベーションコード（有効化コード）と呼ばれることもある。
【００２６】
また、本発明に係るタグ管理システムでは、前記操作端末装置は、タグに対する電子情報の対応付け権限の削除要求をユーザから受け付けて前記サーバ装置へ送信する権限削除要求部を有し、前記サーバ装置は、前記操作端末装置から前記削除要求を受信した場合に、前記削除要求に係るタグの権限ユーザとして当該操作端末装置のユーザが登録されていることを条件に、当該タグの権限ユーザを前記権限ユーザ管理部から削除する権限削除部を有する構成としてもよい。
【００２７】
このような構成によれば、タグの権限ユーザを他のユーザに変更できるようになるため、タグを譲り受けたユーザが新たな権限ユーザとなることが可能となり、タグの有効利用を図ることができる。
【００２８】
ここで、本発明は、上記のタグ管理システムに用いられるサーバ装置、操作端末装置、タグとして把握することもできる。
また、本発明は、上記のタグ管理システムにより実施されるタグ管理方法として把握することもできる。
また、本発明は、上記のタグ管理システムに用いられるサーバ装置、操作端末装置をコンピュータにより実現させるためのプログラムや、当該プログラムを読み取り可能に記憶した記憶媒体として把握することもできる。
【発明の効果】
【００２９】
本発明によれば、ディスプレイ装置上の表示に関連する情報のユーザ端末装置による提供を、１つのタグにより効果的に実現することができる。
また、本発明によれば、タグに対する対応付け処理が不正に行われることを防止することができる。
【図面の簡単な説明】
【００３０】
【図１】本発明に係る情報提供システムの一例である商品販売システムの機能ブロックを示す図である。
【図２】本例の商品販売システムにおける商品販売ページの例を示す図である。
【図３】本例の商品販売システムにおけるＵＲＬ管理データの例を示す図である。
【図４】本例の商品販売システムにおける処理の流れについて説明する図である。
【図５】本例の商品販売システムにおけるディスプレイ装置およびタグカードの設置例を示す図である。
【図６】本例の商品販売システムのネットワーク構成の例を示す図である。
【図７】本発明に係るタグ管理システムの一例における機能ブロックを示す図である。
【図８】本例のタグ管理システムで用いるタグの例を示す図である。
【図９】本例のタグ管理システムのサーバ装置で記憶・管理するデータの例を示す図である。
【図１０】本例のタグ管理システムにおける処理フローの例を示す図である。
【図１１】本例のタグ管理システムにおける処理フローの他の例を示す図である。
【図１２】本例のタグ管理システムのサーバ装置で記憶・管理する他のデータの例を示す図である。
【発明を実施するための形態】
【００３１】
本発明の一実施形態について、図面を参照して説明する。
図１には、本発明に係る情報提供システムの一例である商品販売システムの機能ブロックを示してある。
本例の商品販売システムは、販売対象となる商品画像を含む各種の情報を表示するディスプレイ装置１０と、単一のディスプレイ装置１０に対応付けて設置されるタグカード２０と、商品画像に対応する商品販売ページ（提供対象の情報の一例）のＵＲＬを管理するサーバ装置３０と、商品販売ページを含む各種の情報を表示するユーザ端末装置４０と、商品販売ページを提供する商品販売サイト５０と、を備えている。
ここで、商品画像は、商品販売ページを表す表示情報の一例である。なお、表示情報としては、本例のような画像の情報に限定するものではなく、文字や動画の情報であってもよく、文字・画像・動画を組み合わせた情報であってもよく、要は、その表示を見たユーザが提供対象の情報を視覚的に認識（識別）することが可能な情報であればよい。
【００３２】
本例の商品販売システムでは、概略的に、以下のような手順で動作する。
すなわち、ユーザが、ディスプレイ装置１０に表示された商品画像を選択し、当該ディスプレイ装置１０に対応付けて設置されたタグカード２０からユーザ端末装置４０にタグＩＤを読み取らせることで、選択された商品画像についての商品販売ページのＵＲＬがサーバ装置３０からユーザ端末装置４０に送信され、ユーザ端末装置４０により当該ＵＲＬに基づく商品販売ページが取得されて表示される。
なお、商品としては、被服、かばん、装飾品等の物品（有体物）でもよく、音楽データ、動画データ、アプリケーション等の電子データ（無体物）でもよい。
また、商品画像としては、その商品を示す種々の画像を用いることができ、例えば、商品そのものの画像を用いてもよく、商品を模式的に表した画像を用いてもよい。
【００３３】
以下、各装置の役割や機能・動作について説明する。
ディスプレイ装置１０は、商品画像を含む各種の情報を表示する表示部１１と、表示部１１に表示された商品画像に対するユーザによる選択を認識する選択認識部１２と、ディスプレイ固有のディスプレイＩＤおよび各商品画像のＩＤを記憶する記憶部１３と、サーバ装置３０との通信を行う通信部１４と、を有する据置型の装置である。
なお、本例のディスプレイ装置１０は、表示対象となる商品画像およびそのＩＤをサーバ装置３０から受信して、商品画像を表示部１１に表示するとともに、商品画像のＩＤを記憶部１３に記憶する仕組みとなっている。
【００３４】
ここで、本例のディスプレイＩＤは、個々のディスプレイ装置１０を一意に識別する情報であるとともに、そのディスプレイ装置１０に対応させて設置されるタグカード２０に固有のタグＩＤと１対１で対応付けられている。ディスプレイＩＤとタグＩＤとの対応付けは、ディスプレイＩＤとタグＩＤとを一意に対応付ける情報をサーバ装置３０で管理させることで行ってもよく、ディスプレイ装置１０のディスプレイＩＤと当該ディスプレイ装置１０に対応させて設置されるタグカード２０のタグＩＤとに同一のＩＤを付す（つまり、ディスプレイ装置１０にディスプレイＩＤとしてタグＩＤを記憶させる）ことで行ってもよい。
【００３５】
また、商品画像のＩＤは、ディスプレイ装置１０に表示される商品画像を一意に識別する情報であるとともに、該商品に係る商品販売ページのＵＲＬを特定する情報でもある。
商品画像のＩＤとしては、一例として、各商品を一意に識別する商品ＩＤを用いることができる。この場合には、例えば、各ディスプレイ装置１０に画像表示する商品の商品ＩＤとその商品に係る商品販売ページのＵＲＬとの対応をサーバ装置３０で管理させておけばよい。
また、他の例として、ディスプレイ装置１０における商品画像の表示位置を示す位置ＩＤを、商品画像のＩＤとして用いることができる。この場合には、例えば、各ディスプレイ装置１０における表示位置を示す位置ＩＤとその位置に画像表示する商品に係る商品販売ページのＵＲＬとの対応をサーバ装置３０で管理させておけばよい。
また、他の例として、ディスプレイ装置１０に画像表示する商品に係る商品販売ページのＵＲＬそのものを、商品画像のＩＤとして用いることができる。
【００３６】
ディスプレイ装置１０は、サーバ装置３０との通信を行うことが可能な任意の場所に設置される。すなわち、ディスプレイ装置１０は、商品販売システムを運用する事業者の店舗に設置されるだけでなく、コンビニエンスストアやスーパー等の他の事業者の店舗、イベント会場、駅の構内などを間借りして設置してもよく、多数の人の目を惹きやすい場所に設置することが好ましい。
【００３７】
ディスプレイ装置１０には、１つまたは複数の商品画像がユーザにより選択可能に表示される。
また、本例では、ディスプレイ装置１０として、表示部１１へのユーザのタッチ操作を検出するタッチパネル形式の装置を用いており、表示部１１に表示された商品画像に対するユーザのタッチを検出したことに応じて、選択認識部１２が、当該商品画像に対するユーザによる選択がなされたことを認識する仕組みとなっている。
【００３８】
ここで、選択認識部１２による商品画像の選択の認識は、他の手法により実現してもよい。一例として、ディスプレイ装置１０に各商品画像の表示位置に対応させて複数の操作ボタンを設けておき、いずれかの操作ボタンが押し下げられたことに応じて、当該操作ボタンに対応する表示位置の商品画像の選択がなされたと認識するようにしてもよい。また、他の例として、画面上に表示するカーソルを操作するマウス等の操作デバイスをディスプレイ装置１０に接続しておき、商品画像にカーソルを合わせた状態でクリック操作がなされたことに応じて、当該商品画像の選択がなされたと認識するするようにしてもよい。
【００３９】
ディスプレイ装置１０による商品画像の表示は、常に行ってもよく、ユーザの指示により商品画像の表示を開始させるようにしてもよい。一例として、通常は、近辺に居る人の目を惹きつけるような情報（例えば、キャンペーン情報）を表示しておき、ディスプレイ装置１０に対する何らかの操作（例えば、タッチ操作）がなされたことに応じて、商品画像の表示に切り替えるようにしてもよい。また、他の例として、通常は、ディスプレイ装置１０の表示をオフにしておき、ディスプレイ装置１０に対する何らかの操作（例えば、タッチ操作）がなされたことに応じて、表示のオフ状態から復帰して商品画像を表示させるようにしてもよい。
【００４０】
ディスプレイ装置１０は、表示する商品画像が１つの場合には、商品画像の表示のきっかけとなる操作（他の情報の表示から商品画像の表示に切り替える操作や、表示のオフ状態から復帰して商品画像を表示させる操作など）を、当該商品画像に対するユーザによる暗黙的な選択として認識することができる。なお、ディスプレイ装置１０に商品画像を表示した後にその商品画像を選択する操作を、当該商品画像に対するユーザによる選択として認識するようにしてもよい。
また、ディスプレイ装置１０は、表示する商品画像が複数の場合には、いずれかの商品画像を選択する操作を、当該商品画像に対するユーザによる選択として認識することができる。
【００４１】
ディスプレイ装置１０は、上記のようにして商品画像の選択が認識されたことに応じて、自装置のディスプレイＩＤと選択された商品画像のＩＤとを関連付けてサーバ装置３０に送信する。なお、ディスプレイ装置１０に表示する商品画像が１つの場合には、ディスプレイＩＤから商品画像のＩＤを一意に特定できるので、商品画像のＩＤの送信を省略してもよい。
【００４２】
ディスプレイ装置１０には、これに１対１に対応させてタグカード２０が設置される。つまり、複数のディスプレイ装置１０が存在する場合には、各ディスプレイ装置１０に対してタグカード２０が１枚ずつ設置される。換言すれば、タグカード２０は、単一のディスプレイ装置１０に対応付けて設置される。
本例では、ディスプレイ装置１０の近傍にタグカード２０を設置するが、ディスプレイ装置１０にタグカード２０を貼り付ける等の他の設置態様としてもよく、ディスプレイ装置１０とタグカード２０との対応をユーザが視覚的に把握することができる態様であればよい。
【００４３】
タグカード２０は、タグ固有のタグＩＤをユーザ端末装置４０により読み取り可能に記憶する記憶部２１を有する媒体であり、少なくともタグＩＤを予め記憶した既製のタグを付したものを用いることができる。
【００４４】
本例では、タグカード２０として、非接触通信によりデータを送出する電子タグの一種であるＮＦＣ（Ｎｅａｒ  Ｆｉｅｌｄ  Ｃｏｍｍｕｎｉｃａｔｉｏｎ）タグを貼付（または内蔵）したものを用いているが、ＲＦＩＤ（Ｒａｄｉｏ  Ｆｒｅｑｕｅｎｃｙ  ＩＤｅｎｔｉｆｉｃａｔｉｏｎ）タグ等の他の電子タグを貼付等したものを用いてもよい。また、タグカード２０として、データを画像化した１次元バーコードや２次元バーコード等のパターン画像を印刷（またはその印刷物を貼付）する形式のものや、Ｂｌｕｅｔｏｏｔｈ（登録商標）、ＷｉＦｉ（登録商標）、高周波音などを用いた形式のものを用いてもよい。また、ユーザ端末装置４０の機種に応じて読み取り機能が異なる場合があり得ることを考慮して、タグカード２０に複数の形式でタグＩＤを記憶させてもよい。
【００４５】
ユーザ端末装置４０は、ユーザによる操作を受け付ける操作部４１と、タグカード２０からタグＩＤを読み取る読取部４２と、商品販売ページを含む各種の情報を表示する表示部４３と、サーバ装置３０や商品販売サイト５０との通信を行う通信部４４と、を有する携帯型の装置である。
ユーザ端末装置４０としては、スマートフォンを含む携帯電話、タブレット端末、モバイル端末等の種々の端末装置を用いることができる。
【００４６】
ユーザ端末装置４０の読取部４２は、種々の態様により実現することができる。例えば、ユーザ端末装置４０がタグカード２０の通信範囲内に接近（またはタグカード２０の接触）した際に、当該タグカード２０に付された電子タグから送出されるデータを読み取る機能や、タグカード２０に付されたパターン画像をカメラ撮影し、当該パターン画像を解析してデータを読み取る機能などとして実現することができ、また、これら複数の読み取り機能をユーザ端末装置４０に持たせてもよい。
【００４７】
ユーザ端末装置４０は、タグカード２０からタグＩＤを読み取ったことに応じて、サーバ装置３０にタグＩＤを送信し、その応答としてサーバ装置３０から送信される商品販売ページのＵＲＬを受信する。また、ユーザ端末装置４０は、サーバ装置３０から商品販売ページのＵＲＬを受信したことに応じて、当該商品販売ページのＵＲＬが指し示す商品販売サイト５０にアクセスし、商品販売サイト５０から商品販売ページを取得する。また、ユーザ端末装置４０は、商品販売サイト５０から取得した商品販売ページを表示部４３に表示出力する。
【００４８】
本例では、タグＩＤの送信先となるサーバ装置３０のアドレス情報（ＵＲＬやＩＰアドレスなどの情報）をタグカード２０に予め記憶させており、ユーザ端末装置４０がタグＩＤとともにサーバ装置３０のアドレス情報をタグカード２０から読み取って、当該アドレス情報に基づいてサーバ装置３０にタグＩＤを送信している。なお、ユーザ端末装置４０にサーバ装置３０のアドレス情報を予め保持させておき、当該アドレス情報に基づいてサーバ装置３０にタグＩＤを送信するようにしてもよい。
【００４９】
図２には、ユーザ端末装置４０に表示される商品販売ページの例を示してある。同図の商品販売ページは、商品の具体的情報（商品名、価格など）の表示、商品の購入に際して必要な情報（商品の色や個数、ユーザの名前や住所や連絡先、希望する配送日、決済方法など）の入力部、商品の購入を確定する「申込」ボタンなどの要素で構成されている。
これにより、ユーザは、ユーザ端末装置４０に表示された商品販売ページに対し、商品の購入に必要な情報を操作部４１の操作により入力するなどして、所望の商品（ディスプレイ装置１０の表示から選択したもの）を購入することができる。
【００５０】
サーバ装置３０は、ディスプレイ装置１０およびユーザ端末装置４０との通信を行う通信部３１と、ディスプレイＩＤと商品画像のＩＤとＵＲＬとの対応などを記憶する記憶部３３と、記憶部３３にアクセスするアクセス部３２と、を有する。
サーバ装置３０は、単一の装置により構成してもよく、互いに通信可能に接続された複数の装置により構成してもよい。
【００５１】
図３には、記憶部３３に記憶されるデータの例を示してある。
同図では、商品販売システム内の各ディスプレイ装置１０のディスプレイＩＤと、そのディスプレイ装置１０に画像表示する商品の商品ＩＤと、その商品に係る商品販売ページのＵＲＬとを対応付けた構造のＵＲＬ管理データを示してある。また、本例の記憶部３３は、商品ＩＤに対応付けて商品画像を記憶しており、ディスプレイ装置１０に送信して表示させる仕組みとなっている。ここで、商品画像の他に、商品名や商品の簡単な説明などの情報を付加的に記憶しておき、ディスプレイ装置１０に送信して商品画像とともに表示させるようにしてもよい。
なお、図３の例では、ディスプレイ装置１０のディスプレイＩＤと当該ディスプレイ装置１０に対応させて設置されるタグカード２０のタグＩＤとに、同一のＩＤを付してあるものとする。
【００５２】
このようなＵＲＬ管理データを用いることで、サーバ装置３０は、ディスプレイ装置１０から送信されるディスプレイＩＤおよび商品画像のＩＤ（例えば、商品ＩＤ）を受信した際に、ユーザが商品画像の選択を行ったディスプレイ装置１０およびその商品画像を特定することができる。これにより、サーバ装置３０は、ディスプレイ装置１０に対応させて設置されたタグカード２０からタグＩＤを読み取ったユーザ端末装置４０に対し、当該ディスプレイ装置１０で選択された商品画像に係る商品販売ページのＵＲＬを送信する準備を行うことができる。
【００５３】
このように、ディスプレイ装置１０で商品画像が選択されることで、当該ディスプレイ装置１０のディスプレイＩＤと、当該ディスプレイ装置１０で選択された商品画像に係る商品販売ページのＵＲＬとの対応付けが設定される。ここで、ディスプレイ装置１０のディスプレイＩＤと、当該ディスプレイ装置１０に対応させて設置されたタグカード２０のタグＩＤとは、一意に対応付けられているため、当該タグＩＤにも、当該ディスプレイ装置１０で選択された商品画像に係る商品販売ページのＵＲＬとの対応付けが設定されたといえる。
ディスプレイＩＤと商品販売ページのＵＲＬとの対応付けは、種々の態様により実現することができる。例えば、該当するＵＲＬ管理データに対して設定済を示すフラグを付与する態様や、ディスプレイＩＤと商品販売ページのＵＲＬとの対応を示すデータを生成する態様などにより実現することができる。
【００５４】
サーバ装置３０は、ディスプレイＩＤと商品販売ページのＵＲＬとの対応付けが設定された後に、当該タグカード２０のタグＩＤをユーザ端末装置４０から受信したことに応じて、その送信元のユーザ端末装置４０に対し、当該タグＩＤに一意に対応するディスプレイＩＤに対応付けられた商品販売ページのＵＲＬを送信する。
つまり、サーバ装置３０は、ディスプレイ装置１０からディスプレイＩＤを受信し且つユーザ端末装置４０から当該ディスプレイＩＤに一意に対応付けられたタグＩＤを受信したことに応じて、当該ディスプレイＩＤに対応付けられたＵＲＬをユーザ端末装置４０へ送信する。
【００５５】
本例の商品販売システムにおける処理の流れについて、図４を参照して説明する。
なお、図４の例では、ディスプレイ装置１０の表示領域を上下左右に４分割した各区画に異なる商品画像を表示している。
商品の購入を希望するユーザは、まず、ディスプレイ装置１０にタッチ等することで、ディスプレイ装置１０に表示された商品画像を選択する。
ディスプレイ装置１０は、ユーザによる商品画像の選択を認識すると、自装置のディスプレイＩＤと選択された商品画像のＩＤとを関連付けてサーバ装置３０に送信する（Ｔ１）。
サーバ装置３０は、ディスプレイ装置１０から送信されたディスプレイＩＤおよび商品画像のＩＤを受信すると、これらのＩＤに基づいて記憶部３３のＵＲＬ管理データにアクセスして、当該ディスプレイ装置１０に対応させて設置されたタグカード２０のタグＩＤと、当該ディスプレイ装置１０で選択された商品画像に係る商品販売ページのＵＲＬとの対応付けを設定する。
【００５６】
また、商品の購入を希望するユーザは、ディスプレイ装置１０に表示された商品画像を選択した後に、当該ディスプレイ装置１０に対応させて設置されたタグカード２０のタグＩＤをユーザ端末装置４０に読み取らせる（Ｔ２）。
ユーザ端末装置４０は、読取部４２によってタグカード２０のタグＩＤを読み取ると、当該タグＩＤをサーバ装置３０に送信する（Ｔ３）。
サーバ装置３０は、ユーザ端末装置４０から送信されたタグＩＤを受信すると、当該タグＩＤに基づいて記憶部３３のＵＲＬ管理データにアクセスして、当該タグＩＤに対応付けられた商品販売ページのＵＲＬを取得し、ユーザ端末装置４０に送信する（Ｔ４）。
【００５７】
ユーザ端末装置４０は、サーバ装置３０から商品販売ページのＵＲＬを受信すると、当該ＵＲＬが指し示す商品販売サイト５０にアクセスし（Ｔ５）、商品販売サイト５０から商品販売ページを取得して（Ｔ６）、表示出力する。
ユーザは、ユーザ端末装置４０に表示された商品販売ページに対し、商品の購入に必要な情報を入力して、所望の商品を購入する。
【００５８】
以上のように、本例の商品販売システムでは、ディスプレイ装置１０に表示された商品画像がユーザに選択されることと（ディスプレイ装置１０のディスプレイＩＤがサーバ装置３０に送信されること）、ディスプレイ装置１０に対応付けて設置されたタグカード２０がユーザ端末装置４０に読み取られること（ディスプレイＩＤに一意に対応付けられたタグＩＤがサーバ装置３０に送信されること）が、サーバ装置３０からユーザ端末装置４０に対して商品販売ページのＵＲＬを送信するために必要な構成としている。
つまり、サーバ装置３０が、ディスプレイ装置１０からディスプレイＩＤを受信し且つユーザ端末装置４０から当該ディスプレイＩＤに一意に対応付けられたタグＩＤを受信したことに応じて、当該ディスプレイＩＤに対応付けられたＵＲＬをユーザ端末装置４０へ送信する構成となっている。
【００５９】
このため、ディスプレイ装置１０の表示を見たユーザに対して該ユーザの希望とは異なる商品販売ページが提供されてしまう事態が発生することを抑制することができる。
また、ディスプレイ装置１０により商品販売ページを提供する構成ではないため、ディスプレイ装置１０を一人のユーザが専有する状態を短縮することができる。
また、ユーザが所持するユーザ端末装置４０により商品販売ページを提供する構成であるため、ユーザは他のユーザを気にせずに商品の購入を進めることができる。
【００６０】
更に、本例の商品販売システムでは、ディスプレイ装置１０に表示された複数の商品画像の中からユーザにより選択された商品画像についてのＵＲＬが、ディスプレイ装置１０に対応付けて設置されたタグカード２０に記憶されたタグＩＤを読み取ったユーザ端末装置４０に対して送信される構成としている。
【００６１】
このため、ユーザは、ディスプレイ装置１０の表示からいずれかの商品画像を選択し、当該ディスプレイ装置１０に対応付けて設置されたタグカード２０からユーザ端末装置４０によりタグＩＤを読み取らせるだけで、所望の商品に関する商品販売ページの提供を受けることができる。
また、ディスプレイ装置１０に複数の商品画像を表示することが可能な構成でありながら、当該ディスプレイ装置１０に対応付けて設置するタグカード２０は１つで足りる。
また、ディスプレイ装置１０において選択された商品画像に応じてサーバ装置３０から送信されるＵＲＬが変動する構成でありながら、タグカード２０に記憶させるタグＩＤは固定で済むので、商品画像の選択に応じてタグＩＤを動的に書き換えるための機構（ハードウェア）をディスプレイ装置１０に設ける必要がなく、簡易なシステム構成とすることができる。
【００６２】
なお、上記の例では、ディスプレイ装置１０の表示領域を複数に分割した各区画に異なる商品画像を表示しているが、ユーザの指示または時間の経過に伴って商品画像の表示を切り替えることで、ディスプレイ装置１０に複数の商品画像を表示させてもよい。
この場合には、ディスプレイ装置１０は、表示中の商品画像を選択する操作を、当該商品画像に対するユーザによる選択として認識すればよい。なお、商品画像の表示が切り替わったことを、当該商品画像に対するユーザによる暗黙的な選択として認識するようにしてもよい。
【００６３】
図５には、本例の商品販売システムにおけるディスプレイ装置１０およびタグカード２０の設置例を示してある。
同図では、ディスプレイＸ、ディスプレイＹ、ディスプレイＺの３台のディスプレイ装置１０が並べて配置されると共に、タグＸ、タグＹ、タグＺの３枚のタグカード２０が対応するディスプレイ装置１０の前に配置されている。ディスプレイ装置１０とタグカード２０は若干の距離を置いてあるが、対応するもの同士を互いに近接させて配置することで、ディスプレイ装置１０とタグカード２０との対応をユーザが容易に把握できるようにしてある。
【００６４】
各ディスプレイ装置１０は、自装置に表示された商品画像がユーザに選択されたことに応じて、自装置のディスプレイＩＤと選択された商品画像のＩＤとを関連付けてサーバ装置３０に送信する。
これにより、サーバ装置３０は、ディスプレイ装置１０から受信したディスプレイＩＤおよび商品画像のＩＤに基づいて、どのディスプレイ装置１０においてどの商品画像が選択されたかを特定することができる。このため、サーバ装置３０は、商品画像の選択がなされたディスプレイ装置１０に対応させて設置されたタグカード２０のタグＩＤに対して、当該選択された商品画像に係る商品販売ページのＵＲＬの対応付けることができる。
更に、本例では、ディスプレイ装置１０とタグカード２０が物理的に接続されておらず、ディスプレイ装置１０における商品画像の選択に連動してタグカード２０を書き換えることが不可能なことが視覚的に明らかな構成となっているが、あたかもタグカード２０の書き換えが行われているかの如き動作を実現している。
【００６５】
ここで、互いに異なる商品画像を表示する複数台のディスプレイ装置１０を並べて配置する場合には、ユーザに多数の商品画像を同時に見せることができる。また、共通する商品画像を表示する複数台のディスプレイ装置１０を並べて配置する場合には、多数のユーザによる商品販売ページへの同時アクセスを提供することができる。
なお、ディスプレイ装置１０に複数の商品画像を表示する際に、１画面では表示領域が足りない場合には、複数の画面に各商品画像を分散させて配置し、各画面をユーザの指示に応じて切り替え表示するようにしてもよい。この場合において、商品画像のＩＤとしてディスプレイ装置１０における表示位置を示す位置ＩＤを送信する場合には、各画面を識別する画面ＩＤを位置ＩＤとともに送信することで、どの商品画像が選択されたかを特定できる。
【００６６】
図６には、本例の商品販売システムのネットワーク構成の例を示してある。
同図では、店舗Ａ、店舗Ｂ、店舗Ｃの３つの店舗がネットワーク回線を通じてサーバ装置３０に接続されている。各店舗には、ディスプレイ装置１０とタグカード２０を対応させて設置してあり、各ディスプレイ装置１０はネットワーク回線を通じてサーバ装置３０と通信することができる。
このように、場所を違えた複数の場所にディスプレイ装置１０とタグカード２０を設置して、各々のディスプレイ装置１０をネットワーク回線によりサーバ装置３０と接続する構成としてもよい。これにより、各地に設置されたディスプレイ装置１０およびタグカード２０をサーバ装置側で集中管理することができる。
【００６７】
ここで、本例の商品販売システムでは、ディスプレイ装置１０を、各種の演算処理を行うＣＰＵ（Ｃｅｎｔｒａｌ  Ｐｒｏｃｅｓｓｉｎｇ  Ｕｎｉｔ）、ＣＰＵの作業領域となるＲＡＭ（Ｒａｎｄｏｍ  Ａｃｃｅｓｓ  Ｍｅｍｏｒｙ）や基本的な制御プログラムなどを記録したＲＯＭ（Ｒｅａｄ  Ｏｎｌｙ  Ｍｅｍｏｒｙ）等の主記憶装置、各種のプログラムやデータを記憶する補助記憶装置、各種の情報を表示出力するための表示装置及び操作者により入力操作に用いられる操作ボタンやタッチパネル等の入力機器とのインタフェースである入出力Ｉ／Ｆ、他の装置との間で有線又は無線により通信を行うインタフェースである通信Ｉ／Ｆ、といったハードウェア資源を備えたコンピュータにより構成している。
【００６８】
そして、本発明に係るディスプレイ装置に関するプログラムをコンピュータにより実行させることで、本発明に係るディスプレイ装置の各機能を当該コンピュータ上に実現させている。
本例のディスプレイ装置１０では、記憶部１３が本発明に係るディスプレイ装置の記憶部に対応し、表示部１１が本発明に係るディスプレイ装置の表示部に対応し、選択認識部１２が本発明に係るディスプレイ装置の選択認識部に対応し、通信部１４が本発明に係るディスプレイ装置の送信部に対応している。
【００６９】
また、サーバ装置３０も同様に、種々のハードウェア資源を備えたコンピュータにより構成してあり、本発明に係るサーバ装置に関するプログラムを当該コンピュータにより実行させることで、本発明に係るサーバ装置の各機能を当該コンピュータ上に実現させている。
本例のサーバ装置３０では、記憶部３３が本発明に係るサーバ装置の記憶部に対応し、通信部３１が本発明に係るサーバ装置の各受信部に対応し、通信部およびアクセス部３２および記憶部３３が本発明に係るサーバ装置の送信部に対応している。
【００７０】
また、ユーザ端末装置４０も同様に、種々のハードウェア資源を備えたコンピュータにより構成してあり、本発明に係るユーザ端末装置に関するプログラムを当該コンピュータにより実行させることで、本発明に係るユーザ端末装置の各機能を当該コンピュータ上に実現させている。
本例のユーザ端末装置４０では、表示部４３が本発明に係るユーザ端末装置の表示部に対応し、読取部４２が本発明に係るユーザ端末装置の読取部に対応し、通信部４４が本発明に係るユーザ端末装置の受信部および取得部および送信部に対応している。
【００７１】
これらのプログラムは、例えば、当該プログラムを記憶したＣＤ−ＲＯＭ等の外部記憶媒体から各コンピュータに導入する形式や、当該プログラムを管理する外部サーバからネットワーク回線を通じて各コンピュータに導入する形式などにより、本発明に係る各装置（ディスプレイ装置１０、サーバ装置３０、ユーザ端末装置４０）のコンピュータに導入される。
なお、本発明は、上記のようなソフトウェア構成により各機能部を実現する態様に限定するものではなく、各機能部を専用のハードウェアモジュールで実現してもよい。
【００７２】
また、本発明に係るシステムや装置などの構成としては、必ずしも以上に示したものに限られず、種々な構成が用いられてもよい。
例えば、提供対象の情報として、上記のような商品販売ページではなく、当該商品の仕様や機能の説明情報を表示する商品情報ページをユーザに提供するように構成してもよい。また、提供対象の情報は、商品に係る情報以外であってもよく、ディスプレイ装置１０に表示された表示情報に該当する、任意の情報を提供する各種のページ（例えば、クーポン配信サイト、ソーシャルネットワークサービスサイト、動画配信サイト、音楽配信サイト、ニュースサイト）へのアクセスを、ユーザに提供することができる。
また、本発明に係るシステムは、上記のような業務的な利用ではなく、個人的な利用や家庭的に利用にも適用することができる。
【００７３】
なお、上記のタグカード２０（以下、単に「タグ」という）は、他の形態のシステムにも利用することができる。以下、タグの他の利用例について説明する。
一例として、商品の広告や見本（以下、「広告物」という）を店舗に展示しておき、広告物を見たユーザが、広告物に対応付けて設置されたタグのタグＩＤをユーザ端末装置で読み取ることで、ユーザ端末装置により所望の商品の商品販売ページにアクセスしてネットショッピングするシステムが挙げられる。
店舗の従業員は、展示する広告物を別の商品のものに変更する場合は、変更前の広告物に対して設置しておいたタグを変更後の広告物に対して設置し、このとき、当該タグＩＤに対応付けてサーバ装置上に保持する商品販売ページのＵＲＬの変更も実施する。このＵＲＬの変更は、従業員が手元の携帯端末装置により該当のタグからタグＩＤを読み取り、また、変更後のＵＲＬを指定して、該端末装置からサーバ装置へタグＩＤと変更後のＵＲＬとを対応付けて送信することで実現される。これにより、１つのタグを複数の商品に対して利用することができる。なお、携帯端末装置としては、ユーザ端末装置と同様な、スマートフォンを含む携帯電話、タブレット端末、モバイル端末等の種々の端末装置を用いることができる。
【００７４】
ここで、例えば、個々のタグに対して一意のアクティベーションコードをサーバ装置上で対応付けて保持しておき、サーバ装置の管理用アプリケーションが、有効化していないタグのタグＩＤを従業員の携帯端末装置から受信した場合には、携帯端末装置によりアクティベーションコードの入力を従業員に促し、当該入力されたアクティベーションコードを予め保持しておいたものと比較し、これらが一致する場合に該当のタグを有効化して、以降はシステムで利用できるようにする構成としてもよい。これにより、重複管理の回避等を実現できる。
また、例えば、各タグがどの程度利用されているか（該タグを通じた商品販売ページのアクセスがどの程度なされたか）をサーバ装置でカウントし、管理用アプリケーションにより表示することで、各タグの利用実態を任意に確認できるようにしてもよい。
【００７５】
なお、上記の利用例では、商品の販売を例にしたが、これに限定するものではなく、任意の情報を提供する各種のページへのアクセスをユーザに提供することができる。
また、このような業務的な利用だけでなく、個人的な利用や家庭的に利用にも適用することができる。すなわち、例えば、家庭内にある食材にタグをクリップ留めしておき、当該食材を使ったレシピの紹介ページのＵＲＬを当該タグに対応付けてサーバ装置で管理させる、という具合である。このように、タグと任意のＷｅｂページとの対応付けを、タグの書き換えを行うことなく提供することができる。
もちろん、個人的な利用や家庭的に利用の場合にも、アクティベーションコードによるタグの有効化を行うようにしてもよく、これにより、各タグの利用者（管理者）を特定の者に限定することができる。また、個人的な利用や家庭的に利用の場合にも、各タグがどの程度利用されているかをサーバ装置でカウントして利用者に提供するようにしてもよく、これにより、各利用者が自己のタグの利用実態を確認することができる。
【００７６】
また、タグからタグＩＤを読み取った装置に応じて、当該タグＩＤに基づいてサーバ装置で実行される処理を変更するようにしてもよい。
具体的には、例えば、店舗の利用者に提供される会員証や施設の利用者に提供される入館証などのカードに、タグＩＤを記録したタグを組み込んでおく。そして、店舗や施設等に設けられた読取装置によってタグＩＤが読み取られた場合には、当該読取装置からタグＩＤを受信したサーバ装置は、店舗や施設の利用履歴を記録する処理や、各種の料金（商品代金や施設利用料等）を課金する処理などを行う。一方、このカードの所有者の携帯端末装置によってタグＩＤが読み取られた場合には、当該携帯端末装置からタグＩＤを受信したサーバ装置は、当該タグＩＤに関する店舗や施設の利用履歴や課金状況を示すＷｅｂページのＵＲＬを当該携帯端末装置に送信する処理を行う。これにより、カードの所持者は当該カードの利用状況を容易に確認することが可能となり、カードがより使い勝手の良いものとなる。
なお、サーバ装置の処理をタグＩＤの送信元（タグＩＤを読み取った装置）に応じて変更するには、サーバ装置がタグＩＤの受信時に実行する処理をタグＩＤの送信元の種別（例えば、装置の種別や装置の所有者の種別）毎に定めておき、タグＩＤの送信元は自身の種別をタグＩＤと共にサーバ装置へ送信し、サーバ装置はタグＩＤの送信元の種別を判別して処理を決定するようにすればよい。
【００７７】
また、例えば、サーバ装置において、各タグが設置される場所を示す位置情報を管理するようにしてもよい。
具体的には、一例として図１２に示すように、タグＩＤと位置情報を対応付けた位置管理テーブルをサーバ装置に持たせておく。ユーザ端末装置は、ＧＰＳ（Ｇｌｏｂａｌ  Ｐｏｓｉｔｉｏｎｉｎｇ  Ｓｙｓｔｅｍ）等を利用して位置情報を取得する位置情報取得部を備え、タグからタグＩＤを読み取ってサーバ装置へ送信する際に、その時点の位置情報を取得して併せて送信する。サーバ装置は、ユーザ端末装置からタグＩＤ及び位置情報を受信すると、受信したタグＩＤに対応付けられた位置情報と受信した位置情報とを比較する。そして、これらの位置情報が異なる（或いは所定距離以上の誤差がある）ことが判明した場合には、予定されていた動作（例えば、ＵＲＬの送信）を取り止め、そうでない場合に、予定されていた動作を実施する。これにより、本来想定していた場所からタグが移動された場合に、そのタグの利用を自動的に停止させることが可能となる。なお、位置情報としては、ＧＰＳの緯度経度情報であってもよく、他の表現形式の情報でもよく、タグの位置を特定することが可能な情報であればよい。
また、タグＩＤと位置情報を事前に対応付けておくことで、現在位置（タグの設置場所）に関連する情報（例えば、その場所の気温や時刻、付近の施設や交通量、主に使用されている言語などに応じた情報）を動的に表示させることもできる。この場合には、例えばＧＰＳの電波が届かない場所でも位置に基づく情報伝達が可能になり、また、ＧＰＳ等の特別な装置を備えないユーザ端末装置に対しても位置に基づく情報伝達が可能になる。
【００７８】
また、例えば、ユーザ端末装置によりタグからタグＩＤが読み取られた場合に、当該ユーザ端末装置で専用の管理アプリケーションが起動されているか否かで、当該ユーザ端末装置の表示内容を変更させるようにしてもよい。
具体的には、専用の管理アプリケーションが起動されていないユーザ端末装置がタグからタグＩＤを読み取った場合には、当該タグＩＤに対応するＵＲＬをサーバ装置に要求し、サーバ装置から受信したＵＲＬにアクセスしてＷｅｂページを表示する。一方、専用の管理アプリケーションが起動された状態のユーザ端末装置がタグからタグＩＤを読み取った場合には、当該タグＩＤを付されたタグの利用状況（利用頻度）、稼働状況（使用中か否か）、位置情報（設置場所）などの管理情報をサーバ装置に要求し、サーバ装置から受信した管理情報を表示する。これにより、タグの管理ユーザは、専用の管理アプリケーションを起動したユーザ端末装置でタグ読み取りを行うだけで、そのタグの管理情報を見ることが可能となる。
【００７９】
また、例えば、タグからタグＩＤを読み取ったユーザ端末装置の表示内容を、ユーザ端末装置の言語設定に応じた言語によるものとしてもよい。
具体的には、サーバ装置に、タグＩＤと各言語の識別情報及びその言語による表示内容のＵＲＬとの対応付けを記憶させておく。そして、ユーザ端末装置がタグから読み取ったタグＩＤと共に自装置の表示言語に設定されている言語の識別情報をサーバ装置に送信すると、サーバ装置は、受信したタグＩＤに対応付けられている各言語による表示内容のＵＲＬのうち、受信した言語の識別情報に該当するものを特定して、ユーザ端末装置に送信する。これにより、ユーザ端末装置の言語設定に応じた言語で、ユーザ端末装置に情報を表示させることができる。
【００８０】
以下では、上記の利用例で示したアクティベーションコード等の認証コードを用いてタグを有効化する技術について、具体的に説明する。
図７には、本発明に係るタグ管理システムの一例における機能ブロックを示してある。
本例のタグ管理システムは、電子情報に対応付けられるタグ１００と、ユーザから電子情報の対応付けに係る操作を受け付ける操作端末装置１２０と、電子情報の対応付け権限を有する権限ユーザを管理するサーバ装置１４０と、タグ１００を通じて電子情報にアクセスするユーザ端末装置１６０と、を備えている。
【００８１】
ここで、タグ１００に対応付ける電子情報としては、Ｗｅｂ上に存在する種々のページ・画像・映像・音声・アプリケーション等が挙げられる。
また、タグ１００と電子情報との対応付けは、例えば、各々のタグ１００を識別するタグＩＤと、各々の電子情報の所在を示すＵＲＬとを対応付けることで実現できる。
【００８２】
本システムでは、タグ１００を市販することを想定している。すなわち、ユーザは必要な数のタグ１００を購入し、操作端末装置１２０を用いて電子情報との対応付けをサーバ装置１４０に設定する。これにより、タグ１００の読み取りを行った任意のユーザ端末装置１６０に対し、タグ１００に対応付けられた電子情報を提供できるようにする。なお、本システムの利用者にタグ１００を無償で配布するようにしてもよい。
このような構成は、店舗には商品の広告や見本（以下、「広告物」という）を展示するだけで実際の商品販売を店舗内で実施せず、広告物を見たユーザにＷｅｂ上の商品販売ページにアクセスさせてネットショッピングさせるような商品販売システムを、簡易に構築するのに役立つ。また、電子情報に対応付けたタグ１００は、当該電子情報に対する物理的なブックマークと見做すこともできるため、上記のような商品販売システムに限らず、会社内や家庭内などの種々の環境で本システムを利用することができる。
【００８３】
タグ１００は、内蔵のチップにより動作を制御する小型の電子機器であり、タグＩＤを記憶するタグＩＤ記憶部１０１の他に、チップ固有のチップＩＤを記憶するチップＩＤ記憶部１０２を有している。
本例のタグ１００は、図８に示すように、ＮＦＣ（Ｎｅａｒ  Ｆｉｅｌｄ  Ｃｏｍｍｕｎｉｃａｔｉｏｎ）のチップ１１０を内蔵しており、このチップ１１０によりタグＩＤ記憶部１０１およびチップＩＤ記憶部１０２へのデータアクセスを制御している。具体的には、ＮＦＣに対応した外部機器（操作端末装置１２０やユーザ端末装置１６０）が近接されたことに応じて、その外部機器に対して非接触通信によりタグＩＤやチップＩＤを送信する。なお、本例のタグ１００はＮＦＣを使用してデータアクセスを制御しているが、他の通信規格を使用しても構わない。
チップＩＤは、チップ１１０の製造時に書き込まれたチップ固有のＩＤであり、その書き換えはできないようにしてある。タグＩＤは、チップ１１０を組み込んだタグ１００の製造時または製造後に、本システムによって独自に付与されて書き込まれたＩＤであるが、特別な権限を持たない限りは書き換えができないよう、読み取りのみ可能な状態としておく。
【００８４】
また、タグ１００には、当該タグ１００の認証コードがユーザにより認識可能な態様で対応付けてある。認証コードは、タグ１００に電子情報を対応付けた状態、すなわち、電子情報へのアクセスに使用可能な状態にタグ１００をアクティベートするために必要なコードでもあるため、アクティベーションコード（有効化コード）と呼ばれることもある。
なお、チップＩＤ及び認証コードは、本システムにおいてタグ１００に対する電子情報の対応付け権限の付与をユーザが求める場合に必要となる認証情報である。
【００８５】
本例では、タグ１００の表面の一部に認証コード保持部１０３を設けてあり、この認証コード保持部１０３に認証コードを印字してある。このため、ユーザはタグ１００を見るだけで認証コードを把握することができる。なお、認証コードを印字した用紙等を商品パッケージに同封してタグ１００を販売あるいは配布するようにしてもよく、商品パッケージには同梱せずに電子データや郵送など他の方法で通知してもよい。要は、タグ１００とその認証コードとの対応をタグ１００の購入者が把握できればよい。
【００８６】
操作端末装置１２０は、タグ１００からのＩＤ読み取りを行うＩＤ読取部１２１と、他の装置（本例ではサーバ装置１４０）との通信を行う通信部１２６の他に、タグ１００に対する電子情報の対応付けに係る操作をユーザから受け付けるために、権限付与要求受付部１２２と、権限削除要求受付部１２４と、対応ＵＲＬ設定受付部１２５と、を有する。
【００８７】
なお、操作端末装置１２０は、上記の各機能部１２１〜１２６を備えた専用端末を用いずとも、ＩＤ読取部１２１および通信部１２６を備えた一般的な携帯型の端末装置（スマートフォンを含む携帯電話、タブレット端末、モバイル端末等）でも実現できる。すなわち、例えば、事前に登録されたユーザＩＤおよびパスワードを用いて端末装置からサーバ装置１４０にログインすることで、当該端末装置に対して権限付与要求受付部１２２、権限削除要求受付部１２４、対応ＵＲＬ設定受付部１２５の各機能がサーバ装置１４０から提供されるようにすればよい。このようなサーバ装置１４０による各機能の提供は、汎用的なＷｅｂブラウザや専用の管理アプリケーション等を通じて行うことができる。
【００８８】
権限付与要求受付部１２２は、権限付与要求受付画面を表示して、この画面により、タグ１００に対する電子情報の対応付け権限の付与を求める権限付与要求を受け付ける。
権限付与要求の対象となるタグ１００の指定は、権限付与要求受付画面を表示させた状態で、操作端末装置１２０をタグ１００に近づけてＩＤ読取部１２１によりタグＩＤおよびチップＩＤの読み取りを行うことで行える。また、先に操作端末装置１２０をタグ１００に近づけてＩＤ読取部１２１によりタグＩＤ及びチップＩＤの読み取りを行ってから、権限付与要求画面を表示させるようにしてもよい。
権限付与要求受付画面には認証コードの入力欄を設けてあり、対象となるタグ１００の認証コードを入力欄に入力する必要がある。
また、権限付与要求受付画面には送信ボタンを設けてあり、タグＩＤおよびチップＩＤの読み取りと認証コードの入力を終えた状態で送信ボタンが押下されることで、サーバ装置１４０に対して権限付与要求が送信される。このとき、ＩＤ読取部１２１で読み取ったタグＩＤおよびチップＩＤ、並びにユーザ入力された認証コードが併せてサーバ装置１４０へ送信される。すなわち、操作端末装置１２０は、タグに対する電子情報の対応付け権限の付与要求と共に、チップＩＤ及び認証コードを認証情報としてサーバ装置１４０へ送信する。
【００８９】
権限削除要求受付部１２４は、権限削除要求受付画面を表示して、この画面により、タグ１００に対する電子情報の対応付け権限の削除を求める権限削除要求を受け付ける。
権限削除要求受付画面には、操作端末装置１２０のユーザが電子情報の対応付け権限を有するタグ１００がリスト表示してあり、その中からタグ１００を選択することができる。なお、タグ１００の選択は、リスト中からクリック等により選択する手法や、ＩＤ読取部１２１によるタグＩＤの読み取りによって選択する手法などで行うことができる。
権限削除要求受付画面には送信ボタンを設けてあり、タグ１００が選択された状態で送信ボタンが押下されることで、サーバ装置１４０に対して権限削除要求が送信される。このとき、選択されたタグ１００のタグＩＤが併せてサーバ装置１４０へ送信される。
【００９０】
対応ＵＲＬ設定受付部１２５は、対応ＵＲＬ設定画面を表示して、この画面により、タグ１００に対する電子情報の対応付けを求める対応ＵＲＬ設定要求を受け付ける。
対応ＵＲＬ設定画面には、操作端末装置１２０のユーザが電子情報の対応付け権限を有するタグ１００がリスト表示してあり、その中からタグ１００を選択して電子情報のＵＲＬを指定することができる。なお、タグ１００の選択は、リスト中からクリック等により選択する手法や、ＩＤ読取部１２１によるタグＩＤの読み取りによって選択する手法などで行うことができる。また、電子情報のＵＲＬの指定は、該当する電子情報のＵＲＬを入力させる手法や、予めブックマークしておいたＵＲＬの中から選択させる手法などで行うことができる。
対応ＵＲＬ設定画面には送信ボタンを設けてあり、タグ１００に対応付ける電子情報の指定を終えた状態で送信ボタンが押下されることで、サーバ装置１４０に対して対応ＵＲＬ設定要求が送信される。このとき、選択されたタグ１００のタグＩＤと指定された電子情報のＵＲＬとの組が併せてサーバ装置１４０へ送信される。
【００９１】
ユーザ端末装置１６０は、タグ１００からのＩＤ読み取りを行うＩＤ読取部１６１と、各種の情報を表示出力する表示部１６２と、他の装置（本例ではサーバ装置１４０）との通信を行う通信部１６３と、を有する。
ユーザ端末装置１６０としては、一般的な携帯型の端末装置（スマートフォンを含む携帯電話、タブレット端末、モバイル端末等）を用いることができる。
ユーザ端末装置１６０は、ＩＤ読取部１６１によりタグ１００からタグＩＤを読み取ると、当該タグＩＤを対応ＵＲＬ提供要求と共にサーバ装置１４０に送信し、これに応答してサーバ装置１４０からＵＲＬを受信すると、当該ＵＲＬの電子情報にアクセスして表示部１６２により表示出力する。
【００９２】
サーバ装置１４０は、他の装置（本例では操作端末装置１２０およびユーザ端末装置１６０）との通信を行う通信部１４１の他に、タグ１００に対する電子情報の対応付けに関する各種データの記憶・管理部および各種の処理部と、を有する。
【００９３】
タグ１００に対する電子情報の対応付けに関する各種データの記憶・管理部としては、各タグの認証コードを記憶する認証コード記憶部１４２と、タグＩＤとチップＩＤの対応を記憶するＩＤ対応記憶部１４３と、各タグの権限ユーザを管理する権限ユーザ管理部１４４と、タグＩＤとＵＲＬの対応を記憶する対応ＵＲＬ記憶部１４５とがある。これら記憶・管理部１４２〜１４５は、サーバ装置１４０内部或いは外部の記憶装置（例えばハードディスク）に構築したデータベースにより実現することができる。
【００９４】
本例では、図９（ａ）に示すように、タグＩＤと認証コードを対応付けた認証コード管理テーブルにより認証コード記憶部１４２が構成されている。また、図９（ｂ）に示すように、タグＩＤとチップＩＤを対応付けたＩＤ対応管理テーブルによりＩＤ対応記憶部１４３が構成されている。また、図９（ｃ）に示すように、タグＩＤとユーザＩＤを対応付けた権限ユーザ管理テーブルにより権限ユーザ管理部１４４が構成されている。また、図９（ｄ）に示すように、タグＩＤとＵＲＬを対応付けた対応ＵＲＬ管理テーブルにより対応ＵＲＬ記憶部１４５が構成されている。
【００９５】
タグ１００に対する電子情報の対応付けに関する各種の処理部としては、権限付与処理を行う権限付与処理部１４６と、権限削除処理を行う権限削除処理部１４７と、対応ＵＲＬ設定処理を行う対応ＵＲＬ設定処理部１４８と、対応ＵＲＬ提供処理を行う対応ＵＲＬ提供処理部１４９とがある。これら処理部１４６〜１４９は、各々の処理を規定したプログラムをサーバ装置１４０のプロセッサにより実行させることで実現することができる。
【００９６】
権限付与処理部１４６は、操作端末装置１２０から権限付与要求を受信したことに応じて権限付与処理を行う。
具体的には、まず、権限付与要求と共に受信したタグＩＤ、チップＩＤ、認証コードの整合性のチェックと、権限ユーザのチェックを行う。整合性のチェックでは、受信したタグＩＤと認証コードとの組み合わせが認証コード記憶部１４２の内容と整合するかの判定と、受信したタグＩＤとチップＩＤとの組み合わせがＩＤ対応記憶部１４３の内容と整合するかの判定を行う。権限ユーザのチェックでは、受信したタグＩＤについて権限ユーザが存在しない（未登録である）ことを権限ユーザ管理部１４４を参照して判定する。そして、これら判定の全てで肯定的な結果が得られた場合に、受信したタグＩＤに対応付けて操作端末装置１２０のユーザのユーザＩＤを権限ユーザ管理部１４４に記憶させる（登録する）ことで、該当するタグ１００に対する電子情報の対応付け権限を操作端末装置１２０のユーザに付与し、電子情報の対応付け権限の付与が成功した旨の応答を操作端末装置１２０に送信する。一方、これら判定のいずれかで否定的な結果が得られた場合には、該当するタグ１００に対する電子情報の対応付け権限の付与を行わず、電子情報の対応付け権限の付与が失敗した旨の応答を操作端末装置１２０に送信する。
【００９７】
権限削除処理部１４７は、操作端末装置１２０から権限削除要求を受信したことに応じて権限削除処理を行う。
具体的には、まず、権限ユーザのチェックを行う。権限ユーザのチェックでは、受信したタグＩＤの権限ユーザとして操作端末装置１２０のユーザが登録されていることを権限ユーザ管理部１４４を参照して判定する。そして、この判定で肯定的な結果が得られた場合に、受信したタグＩＤに対応付けられている操作端末装置１２０のユーザのユーザＩＤを権限ユーザ管理部１４４から消去させることで、該当するタグ１００に対する電子情報の対応付け権限を操作端末装置１２０のユーザから削除し、電子情報の対応付け権限の削除が成功した旨の応答を操作端末装置１２０に送信する。一方、上記の判定で否定的な結果が得られた場合には、該当するタグ１００に対する電子情報の対応付け権限の削除を行わず、電子情報の対応付け権限の削除が失敗した旨の応答を操作端末装置１２０に送信する。
【００９８】
対応ＵＲＬ設定処理部１４８は、操作端末装置１２０から対応ＵＲＬ設定要求を受信したことに応じて対応ＵＲＬ設定処理を行う。
具体的には、まず、対応ＵＲＬ設定要求を行ったユーザの対応付け権限のチェックを行う。すなわち、対応ＵＲＬ設定要求と共に受信したタグＩＤの権限ユーザとして操作端末装置１２０のユーザが登録されていることを権限ユーザ管理部１４４を参照して判定する。そして、この判定で肯定的な結果が得られた場合に、対応ＵＲＬ設定要求と共に受信したＵＲＬを受信したタグＩＤに対応付けて対応ＵＲＬ記憶部１４５に記憶させ、電子情報の対応付けが成功した旨の応答を操作端末装置１２０に送信する。なお、受信したタグＩＤに対応付けて他のＵＲＬが既に対応付けられている場合には、このＵＲＬを受信したＵＲＬに書き換える。一方、上記の判定で否定的な結果が得られた場合には、電子情報の対応付けが失敗した旨の応答を操作端末装置１２０に送信する。
【００９９】
ここで、権限付与処理部１４６、権限削除処理部１４７、対応ＵＲＬ設定処理部１４８では、操作端末装置１２０のユーザのユーザＩＤとして、操作端末装置１２０のユーザがサーバ装置１４０にログインする際に使用したものを用いることができる。
【０１００】
対応ＵＲＬ提供処理部１４９は、ユーザ端末装置１６０から対応ＵＲＬ提供要求を受信したことに応じて対応ＵＲＬ提供処理を行う。
具体的には、対応ＵＲＬ提供要求と共に受信したタグＩＤに対応付けられているＵＲＬを対応ＵＲＬ記憶部１４５から読み出し、ユーザ端末装置１６０に対して対応ＵＲＬ提供応答と共に送信する。
【０１０１】
本例のタグ管理システムにおける処理フローの例を、図１０を参照して説明する。
ここでは、商品の実物ではなく広告物を店舗に展示し、広告物に付したタグ１００を通じて顧客のユーザ端末装置１６０によりアクセス可能な商品販売ページでネットショッピングさせる商品販売システムを例に説明する。
店舗の運営者は必要な数のタグ１００を取得すると、これらのタグ１００に対して電子情報の対応付けを行うに先立って、以下のようにして、権限ユーザの登録を行う。
【０１０２】
まず、操作端末装置１２０で自身のユーザＩＤおよびパスワードを用いてサーバ装置１４０にログインし、権限付与要求受付画面を呼び出して、タグ１００に操作端末装置１２０を近づけてＩＤ読取部１２１によるタグＩＤおよびチップＩＤの読み取りを行わせると共に、認証コード入力部１２３に対する認証コードの入力を行う（ステップＳ１１）。その後、権限付与要求受付画面に設けられた送信ボタンを押下することで、権限付与要求受付部１２２によりサーバ装置１４０に対して権限付与要求がタグＩＤとチップＩＤと認証コードと共に送信される（ステップＳ１２）。
【０１０３】
サーバ装置１４０は、操作端末装置１２０から権限付与要求を受信すると、これと共に受信したタグＩＤとチップＩＤと認証コードに基づいて、権限付与処理部１４６により権限付与処理を行う（ステップＳ１３）。
権限付与処理では、まず、受信したタグＩＤと認証コードとの組み合わせが適切であることの判定と、受信したタグＩＤとチップＩＤとの組み合わせが適切であることの判定と、受信したタグＩＤについて権限ユーザが存在しない（未登録である）ことの判定を行う。そして、これら判定の全てで肯定的な結果が得られた場合には、該当するタグ１００に対する電子情報の対応付け権限を操作端末装置１２０のユーザに付与し、一方、これら判定のいずれかで否定的な結果が得られた場合には、該当するタグ１００に対する電子情報の対応付け権限の付与を行わない。
その後、サーバ装置１４０は、権限付与処理の結果を示す権限付与応答を操作端末装置１２０に送信する（ステップＳ１４）。
【０１０４】
店舗の運営者は、ステップＳ１１〜Ｓ１４による権限ユーザの登録を、電子情報に対応付けて使用することを予定している全てのタグ１００について繰り返す。
このようにして権限ユーザの登録が完了した後、店舗の運営者は、以下のようにして、対応ＵＲＬの設定を行う。
まず、操作端末装置１２０で対応ＵＲＬ設定画面を呼び出して、タグ１００の選択と、ＵＲＬの指定を行う（ステップＳ１５）。その後、対応ＵＲＬ設定画面に設けられた送信ボタンを押下することで、対応ＵＲＬ設定受付部１２５によりサーバ装置１４０に対して対応ＵＲＬ設定要求がタグＩＤとＵＲＬと共に送信される（ステップＳ１６）。
【０１０５】
サーバ装置１４０は、操作端末装置１２０から対応ＵＲＬ設定要求を受信すると、これと共に受信したタグＩＤとＵＲＬに基づいて、対応ＵＲＬ設定処理部１４８により対応ＵＲＬ設定処理を行う（ステップＳ１７）。
対応ＵＲＬ設定処理では、まず、受信したタグＩＤの権限ユーザとして操作端末装置１２０のユーザが登録されていることの判定を行う。そして、この判定で肯定的な結果が得られた場合には、受信したタグＩＤとＵＲＬとの対応付けを設定し、一方、この判定で否定的な結果が得られた場合には、受信したタグＩＤとＵＲＬとの対応付けの設定を行わない。
その後、サーバ装置１４０は、対応ＵＲＬ設定処理の結果を示す対応ＵＲＬ設定応答を操作端末装置１２０に送信する（ステップＳ１８）。
【０１０６】
店舗の運営者は、ステップＳ１５〜Ｓ１８による対応ＵＲＬの設定を、電子情報に対応付けて使用することを予定している全てのタグ１００について繰り返す。なお、タグ１００の設置枚数が多い場合には、全てのタグ１００について上記の作業を行う負荷が高いため、予めサーバ装置１４０側で一括してアクティベート設定したタグ１００を用意しておき、店舗の運営者に配布するようにしてもよい。
そして、これらのタグ１００を店舗内の該当する広告物に対応付けて設置していく。なお、広告物にタグ１００をクリップ留めしてもよく、広告物の近くにタグ１００を配置するだけでもよく、広告物とタグ１００の対応を顧客が把握可能な態様でタグ１００が設置されればよい。
【０１０７】
店舗に訪れた顧客は、広告物を見て商品の購入を検討し、購入を望む場合にはその広告物に対応付けて設置されているタグ１００に自身のユーザ端末装置１６０を近づける。これにより、ユーザ端末装置１６０のタグＩＤ読取部１６１によるタグＩＤの読み取りが行われ（ステップＳ１９）、サーバ装置１４０に対して対応ＵＲＬ提供要求がタグＩＤと共に送信される（ステップＳ２０）。
【０１０８】
サーバ装置１４０は、ユーザ端末装置１６０から対応ＵＲＬ提供要求を受信すると、これと共に受信したタグＩＤに基づいて、対応ＵＲＬ提供処理部１４９により対応ＵＲＬ提供処理を行う（ステップＳ２１）。
対応ＵＲＬ提供処理では、受信したタグＩＤとの対応付けが設定されているＵＲＬを、ユーザ端末装置１６０に対して対応ＵＲＬ提供応答と共に送信する（ステップＳ２２）。
【０１０９】
ユーザ端末装置１６０は、サーバ装置１４０からＵＲＬを受信すると、当該ＵＲＬの商品販売ページにアクセスして表示部１６２により表示出力する（ステップＳ２３）。
このように、顧客は、所望の商品の広告物に対応付けて設置されたタグ１００に自身のユーザ端末装置１６０を近づけるだけで、その商品についての商品販売ページにアクセスしてネットショッピングを行うことができる。
なお、悪意のあるユーザがタグ１００に対する電子情報の対応付けを変更しようとしても、店舗の運営者がタグ１００の権限ユーザの登録を削除しない限り、新たな権限ユーザとなることはできないため、タグ１００に対する電子情報の対応付けを変更できない。
【０１１０】
次に、本例のタグ管理システムにおける処理フローの他の例を、図１１を参照して説明する。
ここでは、タグ１００の権限ユーザであるユーザＡが当該タグ１００をユーザＢに譲り渡す場面を例に説明する。これは、ある種別の商品を取り扱う店舗で使用していたタグ１００を、別の種別の商品を取り扱う店舗で流用する場合などで起こり得る。以下では、ユーザＡの操作端末装置１００を操作端末装置（Ａ）と記載し、ユーザＢの操作端末装置１００を操作端末装置（Ｂ）と記載して区別する。
【０１１１】
本例のタグ管理システムでは、同一のタグ１００に対して複数の権限ユーザを登録することはできないため、ユーザＡは、タグ１００をユーザＢに譲り渡す前に、当該タグ１００に対する権限ユーザとしての登録を削除する必要がある。
そこで、ユーザＡは、まず、操作端末装置（Ａ）で自身のユーザＩＤおよびパスワードを用いてサーバ装置１４０にログインし、権限削除要求受付画面を呼び出して、対象となるタグ１００の選択を行う（ステップＳ４１）。その後、権限削除要求受付画面に設けられた送信ボタンを押下することで、権限削除要求受付部１２４によりサーバ装置１４０に対して権限削除要求がタグＩＤと共に送信される（ステップＳ４２）。
【０１１２】
サーバ装置１４０は、操作端末装置（Ａ）から権限削除要求を受信すると、これと共に受信したタグＩＤに基づいて、権限削除処理部１４７により権限削除処理を行う（ステップＳ４３）。
権限削除処理では、まず、受信したタグＩＤの権限ユーザとして操作端末装置（Ａ）のユーザであるユーザＡが登録されていることの判定を行う。そして、この判定で肯定的な結果が得られた場合には、該当するタグ１００に対する電子情報の対応付け権限をユーザＡから削除し、一方、この判定で肯定的な結果が得られた場合には、該当するタグ１００に対する電子情報の対応付け権限の削除を行わない。
その後、サーバ装置１４０は、権限削除処理の結果を示す権限削除応答を操作端末装置（Ａ）に送信する（ステップＳ４４）。
【０１１３】
ユーザＡは、対象となるタグ１００についてステップＳ４１〜Ｓ４４による権限ユーザの登録の削除を終えた後に、当該タグ１００をユーザＢに譲り渡す。
ユーザＢは、ユーザＡからタグ１００を譲り受けると、当該タグ１００に対して電子情報の対応付けを行うに先立って、権限ユーザとしての登録を行う。
【０１１４】
ユーザＢは、まず、操作端末装置（Ｂ）で自身のユーザＩＤおよびパスワードを用いてサーバ装置１４０にログインし、権限付与要求受付画面を呼び出して、タグ１００に操作端末装置１２０を近づけてＩＤ読取部１２１によるタグＩＤおよびチップＩＤの読み取りを行わせると共に、認証コード入力部１２３に対する認証コードの入力を行う（ステップＳ４５）。その後、権限付与要求受付画面に設けられた送信ボタンを押下することで、権限付与要求受付部１２２によりサーバ装置１４０に対して権限付与要求がタグＩＤとチップＩＤと認証コードと共に送信される（ステップＳ４６）。
【０１１５】
サーバ装置１４０は、操作端末装置（Ｂ）から権限付与要求を受信すると、これと共に受信したタグＩＤとチップＩＤと認証コードに基づいて、権限付与処理部１４６により権限付与処理を行う（ステップＳ４７）。
その後、サーバ装置１４０は、権限付与処理の結果を示す権限付与応答を操作端末装置（Ｂ）に送信する（ステップＳ４８）。
これにより、ユーザＢは、ユーザＡから譲り受けたタグ１００についての権限ユーザとなり、当該タグ１００に対する電子情報の対応付けを行うことができるようになる。
【０１１６】
以上のように、本例のタグ管理システムでは、操作端末装置１２０は、タグ１００に対する電子情報の対応付けに係る権限付与要求をユーザから受け付ける際に、当該タグの認証情報（チップＩＤ及び認証コード）を取得して権限付与要求と共に前記サーバ装置へ送信し、サーバ装置１４０は、各タグの認証情報を記憶するＩＤ対応記憶部１４３及び認証コード記憶部１４２と、各タグの権限ユーザを管理する権限ユーザ管理部１４４とを有し、操作端末装置１２０から権限付与要求及び認証情報を受信した場合に、権限付与要求に係るタグ１００について権限ユーザ管理部１４４に権限ユーザが登録されておらず、且つ、受信した認証情報がＩＤ対応記憶部１４３及び認証コード記憶部１４２の内容と適合することを条件に、当該操作端末装置１２０のユーザを当該タグ１００の権限ユーザとして権限ユーザ管理部１４４に登録する構成となっている。
【０１１７】
このような構成によれば、タグ１００に対する電子情報の対応付けをその権限がある権限ユーザしか行えず、更に、既に権限ユーザが存在する場合には他のユーザが権限ユーザとはなることはできない。このように、タグ１００に対する権限ユーザの複数登録を排除することで、既に権限ユーザが存在するタグ１００の認証コードを他のユーザが得ることができたとしても、当該他のユーザは電子情報の対応付け権限を得ることはできず、タグ１００に対する対応付け処理が不正に行われることを防止できる。
【０１１８】
また、本例のタグ管理システムでは、タグ１００の認証情報として、当該タグ１００の動作を制御するチップに固有のチップＩＤを含めてある。このため、或るタグ１００から読み出したタグＩＤを他のタグ１００に書き込んでコピー品を作成したとしても、チップＩＤはチップ固有なので書き換えはできず、サーバ装置１４０のＩＤ対応記憶部１４３の記憶内容と整合しない不完全コピーとなるため、タグ１００のコピー品について権限ユーザとなることはできない。したがって、タグ１００のコピー品では対応付けの変更を行うことはできず、タグ１００のコピー品に対応付けられる電子情報は、コピー元のタグ１００に対する対応付けの変更に連動して変化することになる。このため、複数のタグ１００に同一の電子情報を対応付けて使用する場面などで、或るタグ１００に対する対応付けが勝手に変更されることを防止しつつ、複数のタグ１００に対する対応付けを一括して変更できる等の効果が得られる。
【０１１９】
また、本例のタグ管理システムでは、タグ１００の認証情報として、当該タグ１００に対してユーザにより認識可能な態様で予め対応付けられた認証コードを含めてある。このため、認証コードがすぐに分かるような態様で付されたタグ１００であっても、店舗や公共の場などの不特定の人が訪れる場所に設置することに支障が無い。
なお、本例のタグ管理システムのように、タグ１００の認証情報としてチップＩＤと認証コードの両方を用いる必要は無く、いずれか一方であっても構わない。例えば、タグＩＤを画像化した１次元バーコードや２次元バーコード等のパターン画像を印刷または貼付した形式のタグを用いる場合には、認証コードのみを認証情報として用いることが好ましい。また、本例のタグ１００のようにチップＩＤを記憶したタグを用いる場合に、チップＩＤのみ、または、認証コードのみを認証情報として用いる構成としてもよい。
【０１２０】
また、本例のタグ管理システムでは、操作端末装置１２０は、タグ１００に対する電子情報の対応付けに係る権限削除要求をユーザから受け付けてサーバ装置１４０へ送信し、サーバ装置１４０は、操作端末装置１２０から権限削除要求を受信した場合に、権限削除要求に係るタグの権限ユーザとして当該操作端末装置１２０のユーザが登録されていることを条件に、当該タグの権限ユーザを権限ユーザ管理部１４４から削除する構成となっている。
【０１２１】
このような構成によれば、タグ１００の権限ユーザを他のユーザに変更できるようになるため、タグ１００を譲り受けたユーザが新たな権限ユーザとなることが可能となり、タグ１００の有効利用を図ることができる。
【０１２２】
なお、タグ１００に対する電子情報の対応付け権限を有する権限ユーザとしては、単一人のユーザに限定するものではなく、複数人のユーザをまとめてユーザグループとして管理できる場合には、このユーザグループを権限ユーザに設定できるようにしてもよい。
【０１２３】
ここで、本例のタグ管理システムでは、サーバ装置１４０を、各種の演算処理を行うＣＰＵ（Ｃｅｎｔｒａｌ  Ｐｒｏｃｅｓｓｉｎｇ  Ｕｎｉｔ）、ＣＰＵの作業領域となるＲＡＭ（Ｒａｎｄｏｍ  Ａｃｃｅｓｓ  Ｍｅｍｏｒｙ）や基本的な制御プログラムなどを記録したＲＯＭ（Ｒｅａｄ  Ｏｎｌｙ  Ｍｅｍｏｒｙ）等の主記憶装置、各種のプログラムやデータを記憶する補助記憶装置、各種の情報を表示出力するための表示装置及び操作者により入力操作に用いられる操作ボタンやタッチパネル等の入力機器とのインタフェースである入出力Ｉ／Ｆ、他の装置との間で有線又は無線により通信を行うインタフェースである通信Ｉ／Ｆ、といったハードウェア資源を備えたコンピュータにより構成している。
【０１２４】
そして、本発明に係るサーバ装置に関するプログラムをコンピュータにより実行させることで、本発明に係るサーバ装置の各機能を当該コンピュータ上に実現させている。
本例のサーバ装置１４０では、ＩＤ対応記憶部１４３及び認証コード記憶部１４２が本発明に係る認証情報記憶部に対応し、権限ユーザ管理部１４４が本発明に係る権限ユーザ管理部に対応し、権限付与処理部１４６が本発明に係る権限付与部に対応し、権限削除処理部１４７が本発明に係る権限削除部に対応している。
【０１２５】
また、操作端末装置１２０やユーザ端末装置１６０も同様に、種々のハードウェア資源を備えたコンピュータにより構成してある。
本例の操作端末装置１２０では、ＩＤ読取部１２１が本発明に係るＩＤ読取部に対応し、権限付与要求受付部１２２が本発明に係る権限付与要求部に対応し、権限削除要求受付部１２４が本発明に係る権限削除要求部に対応している。
【０１２６】
なお、本発明は、上記のようなソフトウェア構成により各機能部を実現する態様に限定するものではなく、各機能部を専用のハードウェアモジュールで実現してもよい。
また、本発明に係るシステムや装置などの構成としては、必ずしも以上に示したものに限られず、種々な構成が用いられてもよい。また、本明細書で示した各種の実施例や変形例を任意に組み合わせることもできる。すなわち、例えば、図１等を参照して説明した商品販売システム（本発明に係る情報提供システムの一例）で用いるタグを、上記のタグ管理システムと同様に、認証コードを用いて有効化するようにしてもよい。
【０１２７】
また、上記の認証コードを、タグ１００に対する所定の紐付け情報の取得用のパスコードとして用いるようにしてもよい。すなわち、ユーザ端末装置１６０は、タグ１００からタグＩＤを読み取ってサーバ装置１４０に送信する際に、当該タグ１００の認証コードの入力をユーザから受け付け、認証コードが入力された場合には、入力された認証コードもサーバ装置１４０に送信する。サーバ装置１４０は、ユーザ端末装置１６０からタグＩＤのみを受信した場合には、当該タグＩＤに対応付けられているＵＲＬをユーザ端末装置１６０に送信する。一方、ユーザ端末装置１６０からタグＩＤと共に認証コードを受信した場合には、受信したタグＩＤと認証コードとの組み合わせが適切であることの判定を行う。そして、この判定で肯定的な結果が得られた場合には、当該タグＩＤに対応付けられているＵＲＬに代えて、当該タグＩＤに対する所定の紐付け情報をユーザ端末装置１６０へ送信する。これにより、タグを通じた情報アクセスの多様性を高めることができる。例えば、アクティベート時に使用した認証コードを権限ユーザのみが知りうる情報として管理しておくことで、認証コードの入力をもって権限ユーザと認め、当該タグの利用状況や管理状況といった一般には公開されない情報を提供することができる。また、アクティベート時に使用した認証コードを特定のユーザあるいはユーザグループなどと共有することで、特定のユーザあるいはユーザグループのみが閲覧可能な秘匿情報などを共有することができる。なお、このような用途に認証コードを用いる場合には、権限ユーザでない者が認証コードを把握できないように、タグ１００自体に認証コードを印字せず、タグ１００とは別の媒体（商品パッケージに同梱または郵送される印刷物、あるいは電子メールなど）で認証コードを権限ユーザに認識させるようにすればよい。
【産業上の利用可能性】
【０１２８】
本発明は、ディスプレイ装置上の表示によって紹介された情報をユーザ端末装置によりユーザに提供する種々の形式の商品情報提供システムに利用することができる。
また、本発明は、タグに対する電子情報の対応付けを管理する種々の形式のタグ管理システムに利用することができる。
【符号の説明】
【０１２９】
１０：ディスプレイ装置、  １１：表示部、  １２：選択認識部、  １３：記憶部、  １４：通信部、  ２０：タグカード、  ２１：記憶部、  ３０：サーバ装置、  ３１：通信部、  ３２：アクセス部、  ３３：記憶部、  ４０：ユーザ端末装置、  ４１：操作部、  ４２：読取部、  ４３：表示部、  ４４：通信部、  ５０：商品販売サイト、
１００：タグ、  １０１：タグＩＤ記憶部、  １０２：チップＩＤ記憶部、  １０３：認証コード保持部、  １２０：操作端末装置、  １２１：ＩＤ読取部、  １２２：権限付与要求受付部、  １２３：認証コード入力部、  １２４：権限削除要求受付部、  １２５：対応ＵＲＬ設定要求受付部、  １２６：通信部、  １４０：サーバ装置、  １４１：通信部、  １４２：認証コード記憶部、  １４３：ＩＤ対応記憶部、  １４４：権限ユーザ管理部、  １４５：対応ＵＲＬ記憶部、  １４６：権限付与処理部、  １４７：権限削除処理部、  １４８：対応ＵＲＬ設定処理部、  １４９：対応ＵＲＬ提供処理部、  １６０：ユーザ端末装置、  １６１：ＩＤ読取部、  １６２：表示部、  １６３：通信部
【図１】
0005867635.tif 000002
【図２】
0005867635.tif 000003
【図３】
0005867635.tif 000004
【図４】
0005867635.tif 000005
【図５】
0005867635.tif 000006
【図６】
0005867635.tif 000007
【図７】
0005867635.tif 000008
【図８】
0005867635.tif 000009
【図９】
0005867635.tif 000010
【図１０】
0005867635.tif 000011
【図１１】
0005867635.tif 000012
【図１２】
0005867635.tif 000013